(57)【要約】【課題】再生中のコンテンツの内容に関連する地理的な情報をユーザが容易に取得する。【解決手段】情報処理装置は、リンク情報取得部および表示制御部をそなえるものである。リンク情報取得部は、コンテンツにおける再生位置と当該再生位置におけるコンテンツの内容に関連する地理に関する地理情報とが関連付けられたリンク情報を取得する。表示制御部は、再生中のコンテンツの内容に関連する地理情報に応じた地理画像を、取得したリンク情報と当該コンテンツの再生中の再生位置とに基づいて表示させる制御を行う。【選択図】図１
2014164630.tif 000002
【特許請求の範囲】
【請求項１】
コンテンツにおける再生位置と当該再生位置における前記コンテンツの内容に関連する地理に関する地理情報とが関連付けられたリンク情報を取得するリンク情報取得部と、
再生中の前記コンテンツの内容に関連する前記地理情報に応じた地理画像を、前記取得したリンク情報と当該コンテンツの再生中の再生位置とに基づいて表示させる制御を行う表示制御部と
を具備する情報処理装置。
【請求項２】
前記地理情報は、経度および緯度を含み、
前記表示制御部は、前記再生中の再生位置と関連付けられた前記地理情報により特定される地図上の位置を示す標識である再生位置標識が付された地図を前記地理画像として表示させる制御を行う請求項１記載の情報処理装置。
【請求項３】
前記リンク情報は、前記地理情報に関連付けられた日時をさらに含み、
前記表示制御部は、いずれかの前記再生位置標識が選択されると当該選択された再生位置標識に対応する前記地理情報に関連付けられた前記日時を表示させる制御を行う請求項２記載の情報処理装置。
【請求項４】
前記表示制御部は、前記情報処理装置が存在する地図上の位置を示す標識である装置位置標識がさらに付された前記地図を表示させる制御を行う請求項２記載の情報処理装置。
【請求項５】
前記表示制御部は、前記コンテンツの内容に関連するものであって、地図上の地物に関する関連位置情報がさらに付された前記地図を表示させる制御を行う請求項２記載の情報処理装置。
【請求項６】
前記関連位置情報は、ＰＯＩ(Point Of Interest)情報であり、
前記表示制御部は、前記ＰＯＩ情報の表示が許可されている場合に、前記関連位置情報がさらに付された前記地図を表示させる制御を行う請求項５記載の情報処理装置。
【請求項７】
前記表示制御部は、前記関連位置情報の存在する地図上の位置を示す標識である関連情報標識がさらに付された前記地図を表示させ、設定された設定距離よりも前記再生位置標識と前記関連情報標識との間の距離が短い場合には、前記関連情報標識の位置の関連位置情報を表示させる制御を行う請求項５記載の情報処理装置。
【請求項８】
前記コンテンツが再生されたか否かを示す再生履歴情報を取得する再生履歴情報取得部と、
前記コンテンツが再生されていないことを前記再生履歴情報が示す場合には所定値を前記設定距離に設定し、前記コンテンツが再生されたことを前記再生履歴情報が示す場合には前記所定値より大きな値を前記設定距離に設定する設定部と
をさらに具備する請求項７記載の情報処理装置。
【請求項９】
前記表示制御部は、前記コンテンツに基づくコンテンツ画像上に前記再生中の再生位置を特定するための標識を付して表示させる請求項１記載の情報処理装置。
【請求項１０】
前記表示制御部は、前記リンク情報において前記地理情報が関連付けられている再生位置を特定するための標識を前記コンテンツに基づくコンテンツ画像上に付して表示させる請求項１記載の情報処理装置。
【請求項１１】
前記コンテンツは、テキストコンテンツと、画像コンテンツと、オーディオコンテンツとのうちの１つまたは複数により構成されるデータである請求項１記載の情報処理装置。
【請求項１２】
前記地理情報は、経度および緯度と、当該経度および緯度により特定される位置の地物に関連する情報とを含む請求項１記載の情報処理装置。
【請求項１３】
前記表示制御部は、前記再生中の再生位置と関連付けられた前記地理情報により特定される架空の地図上の位置を示す前記再生位置標識と架空の地図であることを示す標識とが付された前記架空の地図を前記地理画像として表示させる制御を行う請求項１記載の情報処理装置。
【請求項１４】
前記リンク情報は、前記地理情報を２つ含み、
前記表示制御部は、前記２つの地理情報の一方を含む前記地理画像を表示させ、前記２つの地理情報の両方を含む前記地理画像を表示させた後において前記２つの地理画像の他方を含む前記地理画像を表示させる制御を行う請求項１記載の情報処理装置。
【請求項１５】
前記リンク情報は、前記地理情報を２つ含み、
前記表示制御部は、前記２つの地理情報の一方を含む前記地理画像と前記２つの地理情報の他方を含む前記地理画像とを同時に表示させる制御を行う請求項１記載の情報処理装置。
【請求項１６】
前記リンク情報は、前記地理情報を２つ含み、
前記表示制御部は、前記２つの地理情報の一方を含む前記地理画像と前記２つの地理情報の他方を含む前記地理画像とのいずれかをユーザの操作に従って選択して表示させる制御を行う請求項１記載の情報処理装置。
【請求項１７】
前記地理画像は、地図画像および写真画像が合成された画像である
請求項１記載の情報処理装置。
【請求項１８】
前記コンテンツが再生されたか否かを示す再生履歴情報を取得する再生履歴情報取得部をさらに具備し、
前記表示制御部は、前記コンテンツが再生されたことを前記再生履歴情報が示す場合には前記コンテンツが再生されていないことを前記再生履歴情報が示す場合とは異なる前記地理画像を表示させる制御を行う請求項１記載の情報処理装置。
【請求項１９】
前記リンク情報は、前記地理情報に関連付けられた日時をさらに含み、
前記表示制御部は、特定の基準日時と前記地理情報に関連付けられた日時との間の期間の長さに基づいて前記地理情報を選択して表示させる制御を行う請求項１記載の情報処理装置。
【請求項２０】
特定の基準位置から前記地理情報の各々の示す位置までの移動に要するコストである個別コストを前記地理情報ごとに取得するコスト取得部をさらに具備し、
前記表示制御部は、前記個別コストに基づいて前記地理情報を選択して表示させる制御を行う請求項１記載の情報処理装置。
【請求項２１】
前記表示制御部は、前記個別コストが最小の前記地理情報を選択して表示させる制御を行う請求項２０記載の情報処理装置。
【請求項２２】
前記リンク情報は、前記コンテンツに対応する前記地理情報の各々を囲む所定形状の領域の頂点の位置を代表位置として前記コンテンツごとにさらに含み、
前記コスト取得部は、前記基準位置から前記代表位置までの移動に要するコストである代表コストを前記コンテンツごとに取得して当該代表コストに基づいて選択した前記コンテンツに対応する前記地理情報の各々の前記個別コストを取得する請求項２０記載の情報処理装置。
【請求項２３】
前記コスト取得部は、前記地理情報ごとに予め設定された重み係数により重み付けした前記個別コストを取得する
請求項２０記載の情報処理装置。
【請求項２４】
前記リンク情報は、前記地理情報に関連付けられた日時をさらに含み、
前記コスト取得部は、特定の基準日時と前記地理情報に関連付けられた前記日時との間の期間の長さに応じた値の重み係数により重み付けした前記個別コストを取得する請求項２０記載の情報処理装置。
【請求項２５】
前記表示制御部は、前記個別コストが一定値より小さい前記地理情報の各々を選択して表示させる処理である選択処理を実行する制御を行う請求項２０記載の情報処理装置。
【請求項２６】
前記基準位置を複数回取得する位置取得部をさらに具備し、
前記表示制御部は、所定の位置の前記基準位置に基づいて前記選択処理を実行した後において前記所定の位置と異なる新たな基準位置が取得された場合には前記新たな基準位置に基づいて前記選択処理を再度実行する請求項２５記載の情報処理装置。
【請求項２７】
コンテンツにおける再生位置と当該再生位置における前記コンテンツの内容に関連する地理に関する地理情報とが関連付けられたリンク情報を取得するリンク情報取得手順と、
再生中の前記コンテンツの内容に関連する前記地理情報に応じた地理画像を、前記取得したリンク情報と当該コンテンツの再生中の再生位置とに基づいて表示させる制御を行う表示制御手順と
を具備する情報処理方法。
【請求項２８】
コンテンツにおける再生位置と当該再生位置における前記コンテンツの内容に関連する地理に関する地理情報とが関連付けられたリンク情報を取得するリンク情報取得手順と、
再生中の前記コンテンツの内容に関連する前記地理情報に応じた地理画像を、前記取得したリンク情報と当該コンテンツの再生中の再生位置とに基づいて表示させる制御を行う表示制御手順と
をコンピュータに実行させるプログラム。
【発明の詳細な説明】
【技術分野】
【０００１】
本技術は、情報処理装置に関する。詳しくは、コンテンツを再生させる情報処理装置および情報処理方法ならびに当該方法をコンピュータに実行させるプログラムに関する。
【背景技術】
【０００２】
近年、小説などの書籍を電子化したデータ（電子書籍）を、パーソナルコンピュータや携帯型の情報端末（例えば、携帯電話、タブレット端末）で再生することが行われる。これにより、スペースを取る沢山の本が小さな筐体に格納できることや、検索性が高いなどのメリットをユーザが受けることができる。
【０００３】
また、提案されているメリットとして、例えば、電子書籍に様々な情報を関連付けて提供することにより、電子書籍を起点としてユーザを様々な情報へ容易に導くサーバ装置、電子機器が提案されている（例えば、特許文献１参照。）
【先行技術文献】
【特許文献】
【０００４】
【特許文献１】特開２０１０−２６２４４１号公報
【発明の概要】
【発明が解決しようとする課題】
【０００５】
上述の従来技術では、ユーザにより指定された情報アイテム（例えば、文章や画像）に付加された関連情報を表示することができる。そして、この関連情報に含まれている他のデータへのリンクをたどることにより、他の様々な情報に容易にたどりつくことができる。
【０００６】
このように、上述の従来技術によれば、他の様々な情報に容易にたどりつくことができる。なお、小説や紀行文などの書籍（コンテンツ）を読む場合には、今読んでいるシーンがどのような場所で起こっているのかを想像しながら読むことが多い。このような場合において、その場所がどこにあるのか、どのようなところなのか等の地理的な情報を地図やインターネットで調べたりすることがある。しかし、このような調査をユーザが行うと、その調査時間が長くなってしまうことが多い。
【０００７】
コンテンツの再生時に、その内容に関連する地理的な情報をユーザが容易に取得できれば便利である。
【０００８】
本技術はこのような状況に鑑みて生み出されたものであり、再生中のコンテンツの内容に関連する地理的な情報をユーザが容易に取得することを目的とする。
【課題を解決するための手段】
【０００９】
本技術は、上述の問題点を解消するためになされたものであり、その第１の側面は、コンテンツにおける再生位置と当該再生位置における上記コンテンツの内容に関連する地理に関する地理情報とが関連付けられたリンク情報を取得するリンク情報取得部と、再生中の上記コンテンツの内容に関連する上記地理情報に応じた地理画像を、上記取得したリンク情報と当該コンテンツの再生中の再生位置とに基づいて表示させる制御を行う表示制御部とを具備する情報処理装置および情報処理方法ならびに当該方法をコンピュータに実行させるプログラムである。これにより、コンテンツにおける再生位置と当該再生位置におけるコンテンツの内容に関連する地理に関する地理情報とが関連付けられたリンク情報を用いて、再生中のコンテンツの内容に関連する地理情報に応じた地理画像が表示されるという作用をもたらす。
【００１０】
また、この第１の側面において、上記地理情報は、経度および緯度を含み、上記表示制御部は、上記再生中の再生位置と関連付けられた上記地理情報により特定される地図上の位置を示す標識である再生位置標識が付された地図を上記地理画像として表示させる制御を行うようにしてもよい。これにより、再生中の再生位置と関連付けられた地理情報により特定される地図上の位置を示す再生位置標識が付された地図が表示されるという作用をもたらす。
【００１１】
また、この第１の側面において、上記リンク情報は、上記地理情報に関連付けられた日時をさらに含み、上記表示制御部は、いずれかの上記再生位置標識が選択されると当該選択された再生位置標識に対応する上記地理情報に関連付けられた上記日時を表示させる制御を行うようにしてもよい。これにより、選択された再生位置標識に対応する地理情報に関連付けられた日時が表示されるという作用をもたらす。
【００１２】
また、この第１の側面において、上記表示制御部は、上記情報処理装置が存在する地図上の位置を示す標識である装置位置標識がさらに付された上記地図を表示させる制御を行うようにしてもよい。これにより、情報処理装置が存在する位置を特定するための装置位置標識がさらに付された地図が表示されるという作用をもたらす。
【００１３】
また、この第１の側面において、上記表示制御部は、上記コンテンツの内容に関連するものであって、地図上の地物に関する関連位置情報がさらに付された上記地図を表示させる制御を行うようにしてもよい。これにより、コンテンツの内容に関連するものであって、地図上の地物に関する関連位置情報がさらに付された地図が表示されるという作用をもたらす。
【００１４】
また、この第１の側面において、上記関連位置情報は、ＰＯＩ(Point Of Interest)情報であり、上記表示制御部は、上記ＰＯＩ情報の表示が許可されている場合に、上記関連位置情報がさらに付された上記地図を表示させる制御を行うようにしてもよい。これにより、ＰＯＩ情報の表示が許可されている場合に、関連位置情報がさらに付された地図が表示されるという作用をもたらす。
【００１５】
また、この第１の側面において、上記表示制御部は、上記関連位置情報の存在する地図上の位置を示す標識である関連情報標識がさらに付された上記地図を表示させ、設定された設定距離よりも上記再生位置標識と上記関連情報標識との間の距離が短い場合には、上記関連情報標識の位置の関連位置情報を表示させる制御を行うようにしてもよい。これにより、設定距離よりも再生位置標識と関連情報標識との間の距離が短い場合には、当該第３標識の位置の関連位置情報を表示させるという作用をもたらす。
【００１６】
また、この第１の側面において、上記コンテンツが再生されたか否かを示す再生履歴情報を取得する再生履歴情報取得部と、上記コンテンツが再生されていないことを上記再生履歴情報が示す場合には所定値を上記設定距離に設定し、上記コンテンツが再生されたことを上記再生履歴情報が示す場合には上記所定値より大きな値を上記設定距離に設定する設定部とをさらに具備してもよい。これにより、コンテンツが再生されていない場合には所定値が設定距離に設定され、コンテンツが再生された場合には所定値より大きな値が設定距離に設定されるという作用をもたらす。
【００１７】
また、この第１の側面において、上記表示制御部は、上記コンテンツに基づくコンテンツ画像上に上記再生中の再生位置を特定するための標識を付して表示させる請求項１記載の情報処理装置。これにより、コンテンツ画像上に再生中の再生位置を特定するための標識が表示されるという作用をもたらす。
【００１８】
また、この第１の側面において、上記表示制御部は、上記リンク情報において上記地理情報が関連付けられている再生位置を特定するための標識を上記コンテンツに基づくコンテンツ画像上に付して表示させるようにしてもよい。これにより、リンク情報において地理情報が関連付けられている再生位置を特定するための標識がコンテンツ画像に付されるという作用をもたらす。
【００１９】
また、この第１の側面において、上記コンテンツは、テキストコンテンツと、画像コンテンツと、オーディオコンテンツとのうちの１つまたは複数により構成されるデータであるようにしてもよい。これにより、テキストコンテンツと、画像コンテンツと、オーディオコンテンツとのうちの１つまたは複数によりコンテンツが構成されるという作用をもたらす。
【００２０】
また、この第１の側面において、上記地理情報は、経度および緯度と、当該経度および緯度により特定される位置の地物に関連する情報とを含む請求項１記載の情報処理装置。これにより、経度および緯度と、当該座標が示す位置の地物に関連する情報とが地理情報に含まれるという作用をもたらす。
【００２１】
また、この第１の側面において、上記表示制御部は、上記再生中の再生位置と関連付けられた上記地理情報により特定される架空の地図上の位置を示す前記再生位置標識と架空の地図であることを示す標識とが付された上記架空の地図を上記地理画像として表示させる制御を行うようにしてもよい。これにより、架空の地図を表示する場合には、架空の地図であることを示す標識が付されるという作用をもたらす。
【００２２】
また、この第１の側面において、上記リンク情報は、上記地理情報を２つ含み、上記表示制御部は、上記２つの地理情報の一方を含む上記地理画像を表示させ、上記２つの地理情報の両方を含む上記地理画像を表示させた後において上記２つの地理画像の他方を含む上記地理画像を表示させる制御を行うようにしてもよい。これにより、２つの地理情報の一方を含む地理画像が表示され、２つの地理情報の両方を含む地理画像が表示された後において２つの地理画像の他方を含む地理画像が表示されるという作用をもたらす。
【００２３】
また、この第１の側面において、上記表示制御部は、上記２つの地理情報の一方を含む上記地理画像と上記２つの地理情報の他方を含む上記地理画像とを同時に表示させる制御を行うようにしてもよい。これにより、２つの地理情報の一方を含む地理画像と２つの地理情報の他方を含む地理画像とが同時に表示されるという作用をもたらす。
【００２４】
また、この第１の側面において、上記リンク情報は、上記地理情報を２つ含み、上記表示制御部は、上記２つの地理情報の一方を含む上記地理画像と上記２つの地理情報の他方を含む上記地理画像とのいずれかをユーザの操作に従って選択して表示させる制御を行うようにしてもよい。これにより、２つの地理情報の一方を含む地理画像と２つの地理情報の他方を含む地理画像とのいずれかがユーザの選択に従って表示されるという作用をもたらす。
【００２５】
また、この第１の側面において、上記地理画像は、地図画像および写真画像が合成された画像であってもよい。これにより、地図画像および写真画像が合成された画像が表示されるという作用をもたらす。
【００２６】
また、この第１の側面において、上記コンテンツが再生されたか否かを示す再生履歴情報を取得する再生履歴情報取得部をさらに具備し、上記表示制御部は、上記コンテンツが再生されたことを上記再生履歴情報が示す場合には上記コンテンツが再生されていないことを上記再生履歴情報が示す場合とは異なる上記地理画像を表示させる制御を行うようにしてもよい。これにより、コンテンツが再生された場合にはコンテンツが再生されていない場合とは異なる地理画像が表示されるという作用をもたらす。
【００２７】
また、この第１の側面において、上記リンク情報は、上記地理情報に関連付けられた日時をさらに含み、上記表示制御部は、特定の基準日時と上記地理情報に関連付けられた日時との間の期間の長さに基づいて上記地理情報を選択して表示させる制御を行うようにしてもよい。これにより、基準日時と地理情報に関連付けられた日時との間の期間の長さに基づいて選択された地理情報が表示されるという作用をもたらす。
【００２８】
また、この第１の側面において、特定の基準位置から上記地理情報の各々の示す位置までの移動に要するコストである個別コストを上記地理情報ごとに取得するコスト取得部をさらに具備し、上記表示制御部は、上記個別コストに基づいて上記地理情報を選択して表示させる制御を行うようにしてもよい。これにより、個別コストに基づいて選択された地理情報が表示されるという作用をもたらす。
【００２９】
また、この第１の側面において、上記表示制御部は、上記個別コストが最小の上記地理情報を選択して表示させる制御を行うようにしてもよい。これにより、個別コストが最小の地理情報が表示されるという作用をもたらす。
【００３０】
また、この第１の側面において、上記リンク情報は、上記コンテンツに対応する上記地理情報の各々を囲む所定形状の領域の頂点の位置を代表位置として上記コンテンツごとにさらに含み、上記コスト取得部は、上記基準位置から上記代表位置までの移動に要するコストである代表コストを上記コンテンツごとに取得して当該代表コストに基づいて選択した上記コンテンツに対応する上記地理情報の各々の上記個別コストを取得してもよい。これにより、該代表コストに基づいて選択されたコンテンツに対応する地理情報の各々の上記個別コストが取得されるという作用をもたらす。
【００３１】
また、この第１の側面において、上記コスト取得部は、上記地理情報ごとに予め設定された重み係数により重み付けした上記個別コストを取得してもよい。これにより、地理情報ごとに予め設定された重み係数により重み付けされた個別コストが取得されるという作用をもたらす。
【００３２】
また、この第１の側面において、上記リンク情報は、上記地理情報に関連付けられた日時をさらに含み、上記コスト取得部は、特定の基準日時と上記地理情報に関連付けられた上記日時との間の期間の長さに応じた値の重み係数により重み付けした上記個別コストを取得してもよい。これにより、基準日時と地理情報に関連付けられた日時との間の期間の長さに応じた値の重み係数により重み付けされた個別コストが取得されるという作用をもたらす。
【００３３】
また、この第１の側面において、上記表示制御部は、上記個別コストが一定値より小さい上記地理情報の各々を選択して表示させる処理である選択処理を実行してもよい。これにより、個別コストが一定値より小さい地理情報の各々が表示されるという作用をもたらす。
【００３４】
また、この第１の側面において、上記基準位置を複数回取得する位置取得部をさらに具備し、上記表示制御部は、所定の位置の上記基準位置に基づいて上記選択処理を実行した後において上記所定の位置と異なる新たな基準位置が取得された場合には上記新たな基準位置に基づいて上記選択処理を再度実行してもよい。これにより、所定の位置の基準位置に基づいて選択処理を実行した後において所定の位置と異なる新たな基準位置が取得された場合には新たな基準位置に基づいて選択処理が再度実行されるという作用をもたらす。
【発明の効果】
【００３５】
本技術によれば、コンテンツを再生する際に、再生中のコンテンツの内容に関連する地理的な情報をユーザが容易に取得することができるという優れた効果を奏し得る。
【図面の簡単な説明】
【００３６】
【図１】本技術の第１の実施の形態における表示装置１０の機能構成の一例を示すブロック図である。
【図２】本技術の第１の実施の形態における制御部１５０の機能構成の一例を示すブロック図である。
【図３】本技術の第１の実施の形態における表示装置１０におけるコンテンツおよび舞台位置の表示の一例を示す図である。
【図４】本技術の第１の実施の形態における記憶部１２０に保持されるデータを模式的に示す図である。
【図５】本技術の第１の実施の形態において、テキストが格納されたコンテンツにおける文章位置と舞台位置との関連付けを模式的に示す図である。
【図６】本技術の第１の実施の形態において、画像データ群が格納されたコンテンツにおける文章位置と舞台位置との関連付けを模式的に示す図である。
【図７】本技術の第１の実施の形態において、オーディオが格納されたコンテンツにおける文章位置と舞台位置との関連付けを模式的に示す図である。
【図８】本技術の第１の実施の形態において、マンガの画像データ群が格納されたコンテンツにおける文章位置と舞台位置との関連付けを模式的に示す図である。
【図９】本技術の第１の実施の形態の記憶部１２０に保持される位置情報リンクデータに格納される情報の一例を模式的に示す図である。
【図１０】本技術の第１の実施の形態における表示部１３０にコンテンツを表示する際の表示の一例を模式的に示す図である。
【図１１】本技術の第１の実施の形態の効果の一例を模式的に示す図である。
【図１２】本技術の第１の実施の形態における表示装置１０によりシナリオ表示および舞台表示が行われる際の処理手順例を示すフローチャートである。
【図１３】本技術の第２の実施の形態における記憶部１２０に保持されるデータを模式的に示す図である。
【図１４】本技術の第２の実施の形態において、舞台表示におけるＰＯＩデータの表示の有無を設定するための設定画面（ＰＯＩ表示設定画面）の一例を模式的に示す図である。
【図１５】本技術の第２の実施の形態の効果の一例を模式的に示す図である。
【図１６】本技術の第２の実施の形態においてＰＯＩ情報を表示するためのポップアップ表示に関する図１４のポップアップ表示４７４とは別の例である。
【図１７】本技術の第２の実施の形態における表示装置によりシナリオ表示および舞台表示が行われる際の処理手順例を示すフローチャートである。
【図１８】本技術の第３の実施の形態における表示装置２０の機能構成の一例を示すブロック図である。
【図１９】本技術の第３の実施の形態における舞台表示の一例を示す図である。
【図２０】本技術の変形例として、架空の地図を表示する際の表示の一例を模式的に示す図である。
【図２１】本技術の第４の実施の形態における記憶部１２０に保持されるデータを模式的に示す図である。
【図２２】本技術の第４の実施の形態における地図の表示の一例を示す図である。
【図２３】本技術の第４の実施の形態における表示装置１０によりシナリオ表示および舞台表示が行われる際の処理手順例を示すフローチャートである。
【図２４】本技術の第４の実施の形態における舞台位置表示更新処理の一例を示すフローチャートである。
【図２５】本技術の第５の実施の形態における地図の表示の一例を示す図である。
【図２６】本技術の第５の実施の形態における舞台位置表示更新処理の一例を示すフローチャートである。
【図２７】本技術の第５の実施の形態の変形例における地図の表示の一例を示す図である。
【図２８】本技術の第６の実施の形態における記憶部１２０に保持されるデータを模式的に示す図である。
【図２９】本技術の第６の実施の形態における地図の表示の一例を示す図である。
【図３０】本技術の第７の実施の形態における記憶部１２０に保持されるデータを模式的に示す図である。
【図３１】本技術の第７の実施の形態の記憶部１２０に保持される再生履歴情報の一例を示す図である。
【図３２】本技術の第７の実施の形態における制御部１５０の機能構成の一例を示すブロック図である。
【図３３】本技術の第７の実施の形態における表示装置１０によりシナリオ表示および舞台表示が行われる際の処理手順例を示すフローチャートである。
【図３４】本技術の第８の実施の形態における記憶部１２０に保持されるデータを模式的に示す図である。
【図３５】本技術の第８の実施の形態における制御部１５０の機能構成の一例を示すブロック図である。
【図３６】本技術の第８の実施の形態の効果の一例を模式的に示す図である。
【図３７】本技術の第８の実施の形態における表示装置１０によりシナリオ表示および舞台表示が行われる際の処理手順例を示すフローチャートである。
【図３８】本技術の第８の実施の距離設定処理の一例を示すフローチャートである。
【図３９】本技術の第９の実施の形態の記憶部１２０に保持される位置情報リンクデータに格納される情報の一例を模式的に示す図である。
【図４０】本技術の第９の実施の形態の日時の表示の一例を示す図である。
【図４１】本技術の第９の実施の形態における表示装置１０によりシナリオ表示および舞台表示が行われる際の処理手順例を示すフローチャートである。
【図４２】本技術の第９の実施の形態の変形例における舞台位置の表示の一例を模式的に示す図である。
【図４３】本技術の第９の実施の形態の変形例における表示装置１０によりシナリオ表示および舞台表示が行われる際の処理手順例を示すフローチャートである。
【図４４】本技術の第１０の実施の形態における制御部１５０の機能構成の一例を示すブロック図である。
【図４５】本技術の第１０の実施の形態の舞台位置の表示の一例を模式的に示す図である。
【図４６】本技術の第１０の実施の形態における表示装置１０によりシナリオ表示および舞台表示が行われる際の処理手順例を示すフローチャートである。
【図４７】本技術の第１０の実施の形態における最寄舞台位置探索処理の一例を示すフローチャートである。
【図４８】本技術の第１０の実施の形態の第１の変形例における記憶部１２０に保持される位置情報リンクデータに格納される情報の一例を模式的に示す図である。
【図４９】本技術の第１０の実施の形態の第１の変形例におけるコストの算出方法の一例を示す図である。
【図５０】本技術の第１０の実施の形態の第１の変形例における最寄舞台位置探索処理の一例を示すフローチャートである。
【図５１】本技術の第１０の実施の形態の第２の変形例における重み係数の設定方法の一例を示す図である。
【図５２】本技術の第１０の実施の形態の第２の変形例における記憶部１２０に保持される位置情報リンクデータに格納される情報の一例を模式的に示す図である。
【図５３】本技術の第１０の実施の形態の第２の変形例における最寄舞台位置探索処理の一例を示すフローチャートである。
【図５４】本技術の第１０の実施の形態の第３の変形例における表示装置１０によりシナリオ表示および舞台表示が行われる際の処理手順例を示すフローチャートである。
【図５５】本技術の第１０の実施の形態の第３の変形例における最寄舞台位置探索処理の一例を示すフローチャートである。
【図５６】本技術の第１０の実施の形態の第４の変形例における記憶部１２０に保持される位置情報リンクデータに格納される情報の一例を模式的に示す図である。
【図５７】本技術の第１０の実施の形態の第４の変形例における代表位置の一例を示す図である。
【図５８】本技術の第１０の実施の形態の第４の変形例における最寄舞台位置探索処理の一例を示すフローチャートである。
【図５９】本技術の第１１の実施の形態における表示装置１０によりシナリオ表示および舞台表示が行われる際の処理手順例を示すフローチャートである。
【図６０】本技術の第１１の実施の形態における一定距離内舞台位置探索処理の一例を示すフローチャートである。
【図６１】本技術の第１１の実施の形態の変形例における表示装置１０によりシナリオ表示および舞台表示が行われる際の処理手順例を示すフローチャートである。
【発明を実施するための形態】
【００３７】
以下、本技術を実施するための形態（以下、実施の形態と称する）について説明する。説明は以下の順序により行う。
１．第１の実施の形態（表示制御：コンテンツの再生位置に関連する地図上の位置（舞台位置）を表示する例）
２．第２の実施の形態（表示制御：舞台位置とともにＰＯＩ情報を表示する例）
３．第３の実施の形態（表示制御：舞台位置とともにユーザの現在位置を表示する例）
４．第４の実施の形態（表示制御：変更前後の舞台位置を含む地図を表示させてから地図を切り替える例）
５．第５の実施の形態（表示制御：舞台位置を含む複数の地図を表示させる例）
６．第６の実施の形態（表示制御：舞台位置を含む地図および航空写真を重ねて表示させる例）
７．第７の実施の形態（表示制御：再生履歴情報に基づいて地図を表示するとともに舞台位置を表示させる例）
８．第８の実施の形態（表示制御：舞台位置を表示するとともにＰＯＩ情報を表示する設定距離を再生履歴情報に基づいて変更する例）
９．第９の実施の形態（表示制御：舞台位置に関連付けられた日時を舞台位置とともに表示させる例）
１０．第１０の実施の形態（表示制御：基準位置に最も近い舞台位置を表示させる例）
１１．第１１の実施の形態（表示制御：基準位置から一定距離内の舞台位置を表示させる例）
【００３８】
＜１．第１の実施の形態＞
［表示装置の機能構成例］
図１は、本技術の第１の実施の形態における表示装置１０の機能構成の一例を示すブロック図である。
【００３９】
なお、図１では、コンテンツの表示と、このコンテンツに関連する地図上の位置の表示とに着目し、これらの動作にかかわる機能構成のみを図示する。
【００４０】
表示装置１０は、電子書籍やオーディオデータなどのデジタルコンテンツ（以降は、単にコンテンツと称する）を再生するものであり、操作部１１０と、記憶部１２０と、表示部１３０と、音声出力部１４０と、制御部１５０とを備える。ここで、電子書籍とは、小説、コミック、辞書、雑誌等の出版物を電子化したデータのことである。すなわち、電子書籍のデータは、テキストのみの場合や、画像のみの場合、または、テキストおよび画像の組み合わせの場合などがある。
【００４１】
操作部１１０は、ユーザからの操作入力を受け付けるものであり、ユーザからの操作入力を受け付けると、その操作入力に応じた操作信号を制御部１５０に供給する。
【００４２】
記憶部１２０は、表示装置１０がコンテンツを再生するために必要なデータを保持するものである。例えば、記憶部１２０は、再生対象のコンテンツを保持する。なお、これ以降では、コンテンツが格納されるデータを、シナリオデータと称することとする。
【００４３】
なお、表示装置１０では、再生位置（文章位置）におけるコンテンツの内容の表示画面の表示とともに、この再生位置に関連する地図上の位置（舞台位置）を表示するための画面（舞台表示画面）が表示されるため、記憶部１２０は、この位置の表示に必要な情報を保持する。なお、本技術の第１の実施の形態においてこの必要な情報として記憶部１２０に保持されるデータについては、図３を参照して説明するため、ここでの説明を省略する。
【００４４】
この記憶部１２０は、例えば、ＤＶＤ（Digital Versatile Disk）等のディスクやメモリカード等の半導体メモリ等のリムーバブルな記録媒体（１または複数の記録媒体）を用いることができる。また、これらの記録媒体は、表示装置１０に内蔵するようにしてもよく、表示装置１０から着脱可能とするようにしてもよい。
【００４５】
表示部１３０は、各種情報をユーザに表示するものである。表示部１３０は、再生しているコンテンツの再生位置の内容の表示画像や、この再生位置に関連する舞台位置の表示画像を表示する。なお、表示部１３０として、例えば、有機ＥＬ（Electro Luminescence）パネル、ＬＣＤ（Liquid Crystal Display）パネル等の表示パネルを用いることができる。
【００４６】
音声出力部１４０は、制御部１５０から供給される音声データに基づいて、音声を出力するものである。この音声出力部１４０は、例えば、再生対象のコンテンツの内容がオーディオデータである場合に、再生位置の音声を出力する。
【００４７】
制御部１５０は、表示装置１０における各部を制御するものである。例えば、制御部１５０は、ＣＰＵ（Central Processing Unit）により実現され、各部から供給される情報を信号処理して動作を決定し、その動作を行わせるための情報を各部に供給する。なお、制御部１５０は、表示部１３０に表示して再生するコンテンツ（例えば、電子書籍）を再生する場合には、記憶部１２０から取得した各種の情報に基づいて、コンテンツの再生位置の表示画像と、この再生位置の舞台位置の表示画像とを生成し、表示部１３０に供給する。また、制御部１５０は、音声を出力するのみのコンテンツを再生する場合には、記憶部１２０から取得した各種の情報に基づいて、音声の出力データと、この音声ファイルの再生位置の舞台位置の表示画像とを生成し、音声出力部１４０および表示部１３０に供給する。
【００４８】
［制御部の機能構成例］
図２は、本技術の第１の実施の形態における制御部１５０の機能構成の一例を示すブロック図である。この制御部１５０は、表示制御部１５１およびリンク情報取得部１５２を備える。
【００４９】
リンク情報取得部１５２は、位置情報リンクデータを取得するものである。ここで、位置情報リンクデータは、コンテンツにおける各再生位置と、地図上の位置（舞台位置）とを関連付ける（リンクさせる）ためのデータである。コンテンツが複数ある場合には、コンテンツごとに位置情報リンクデータが記憶部１２０に格納される。リンク情報取得部１５２は、コンテンツの再生を指示する操作信号を操作部１１０から受け取ると、そのコンテンツに対応する位置情報リンクデータを記憶部１２０から読み出す。リンク情報取得部１５２は、読み出した位置情報リンクデータを表示制御部１５１に供給する。
【００５０】
表示制御部１５１は、再生中のコンテンツの舞台位置に応じた地図を、位置情報リンクデータと、そのコンテンツの再生中の再生位置とに基づいて表示させるものである。この表示制御部１５１は、コンテンツの再生を指示する操作信号を操作部１１０から受け取ると、そのコンテンツの再生を開始する。コンテンツが画像データやテキストデータを含む場合、表示制御部１５１は、制御信号により表示部１３０を制御して、そのコンテンツの内容を表示させる。一方、コンテンツがオーディオデータを含む場合、表示制御部１５１は、そのコンテンツにおける音声信号を音声出力部１４０に供給する。
【００５１】
また、表示制御部１５１は、再生中のコンテンツの再生位置を記憶部１２０に一時的に保持する。そして、表示制御部１５１は、再生位置に対応する舞台位置を位置情報リンクデータから取得し、その舞台位置に応じた地図を表示部１３０に表示させる。また、表示制御部１５１は、表示させた地図上において、アイコンなどを使用して、舞台位置を表示させる。
【００５２】
［表示装置の表示面の一例］
図３は、本技術の第１の実施の形態における表示装置１０の表示面の一例を示す図である。
【００５３】
なお、ここでは、表示装置１０は、表示画面を２画面備えていることを想定して説明する。
【００５４】
表示装置１０は、２つの表示画面（表示画面１３１、表示画面１３２）を備える。表示画面１３１は、再生中のコンテンツを表示するための画面であり、表示画面１３２は、舞台位置を表示するための画面である。なお、図３では、コンテンツとしてテキストが表示されることを想定して説明する。
【００５５】
表示画面１３１には、コンテンツを表示するための領域（コンテンツ表示領域２２１）が示されている。また、表示画面１３１には、進むボタン、戻るボタン、一時停止ボタンなどの操作ボタンを表示するための領域（操作ボタン表示領域２２２）が示されている。なお、コンテンツ表示領域２２１には、コンテンツとして、堀辰雄の「美しい村」の文章が表されている（図３以降も同様）。コンテンツ表示領域２２１に表示されている文章は、自動進行で再生が進む。このコンテンツ表示領域２２１に表示されている文章は、既読な文章については黒色の文字で示され、未読な文章については灰色の文字で示されている。
【００５６】
表示画面１３２には、表示画面１３１のコンテンツ表示領域２２１に表示されているコンテンツの再生中の再生位置（進行位置）に関する舞台位置が、この舞台位置を含む地図の上に描かれた表示画面（舞台表示画面）が示されている。なお、表示画面１３２では、表示画面１３１のコンテンツ表示領域２２１に表示されているコンテンツの進行位置（黒色の文字と灰色の文字との境界の位置）に対応する舞台位置が、丸形のアイコン（舞台位置アイコン２２３）により示されている。また、表示画面１３２には、描かれている地図の上に、コンテンツ表示領域２２１に表示されているコンテンツの舞台位置の移動経路を示す線（移動ルート２２４）が示されている。
【００５７】
このように、表示画面１３２には、表示画面１３１のコンテンツ表示領域２１１に表示されているコンテンツの再生中の再生位置（進行位置）に関する舞台位置が表示される。
【００５８】
なお、図３では、コンテンツがテキストデータの場合を想定して説明したが、コンテンツが朗読音声データの場合には、操作ボタン表示領域２２２のみを表示するようにしてもよい。
【００５９】
次に、記憶部１２０に保持されるデータについて説明する。
【００６０】
［記憶部の保持データの一例］
図４は、本技術の第１の実施の形態における記憶部１２０に保持されるデータを模式的に示す図である。
【００６１】
図４に示すように、記憶部１２０には、シナリオデータ１２１と、位置情報リンクデータ１２２と、地図データ１２３とが保持される。
【００６２】
シナリオデータ１２１は、コンテンツのファイルデータである。小説などの場合にはテキストデータが格納され、マンガなどの場合には画像データのまとまり（画像データ群）が格納され、朗読などの音声データの場合にはオーディオファイルが格納される。
【００６３】
前述したように、位置情報リンクデータ１２２は、シナリオデータ１２１に格納されているコンテンツにおける各再生位置と、地図データ１２３における地図上の位置（舞台位置）とを関連付ける（リンクさせる）ためのデータである。すなわち、位置情報リンクデータ１２２は、シナリオデータ１２１が複数ある場合には、シナリオデータ１２１ごとに用意される。なお、位置情報リンクデータ１２２については、図５乃至図９を参照して説明するため、ここでの詳細な説明を省略する。
【００６４】
地図データ１２３は、地図を表示画面１３２に表示するためのデータであり、例えば、日本地図に関するデータが格納される。なお、地図については、複数の年代ごとのデータを用意する例なども考えられるが、ここでは、説明の便宜上、１つだけ（現代）の地図のデータが保持されることを想定して説明する。
【００６５】
なお、本技術の実施の形態では、表示装置１０に設けられた記憶部１２０に保持された各データを用いる例について説明するが、これに限定されるものではなく、表示装置１０の通信手段を使用して、データの全てまたはデータの一部をサーバーから逐次取得するようにしてもよい。
【００６６】
次に、位置情報リンクデータ１２２について説明する。まず、シナリオデータ１２１における再生位置（文章位置）と、舞台位置との関連付けについて、複数の異なるタイプのシナリオ（コンテンツ）を想定し、図５乃至図８を参照して説明する。
【００６７】
［テキストのコンテンツにおける文章位置と舞台位置との関連例］
図５は、本技術の第１の実施の形態において、テキストが格納されたコンテンツにおける文章位置と舞台位置との関連付けを模式的に示す図である。
【００６８】
図５には、テキストが格納されたコンテンツ（シナリオデータ１２１）を模式的に示す文章が付された矩形（テキストデータ２５１）と、位置情報リンクデータ１２２における文章位置および舞台位置を模式的に示す表とが示されている。この表には、文章位置を示す列（列２５２）と、舞台位置を示す列（列２５３）とが示され、列２５２には、行番号および行頭からの文字数（文字位置）により文章位置が指定されることが示されている。
【００６９】
このように、テキストデータにおける文章位置を指定する場合には、文章は複数の文字から構成される文書行から構成されるため、行番号と、その行の行頭からの文字数とにより文章位置を指定することができる。
【００７０】
なお、図５では、行番号および行頭からの文字数で文章位置を指定する例について説明したが、これに限定されるものではない。他に、段落番号および段落の頭からの文字数で文章位置を指定する方法、ページ番号およびページの頭からの文字数で文章位置を指定する方法なども考えることができる。
【００７１】
［画像データ群のコンテンツにおける文章位置と舞台位置との関連例］
図６は、本技術の第１の実施の形態において、画像データ群が格納されたコンテンツにおける文章位置と舞台位置との関連付けを模式的に示す図である。
【００７２】
図６には、６枚の１連の画像（画像２６４乃至画像２６９）が画像データ群として格納されたコンテンツ（シナリオデータ１２１）を模式的に示す矩形（画像群２６１）と、位置情報リンクデータ１２２における文章位置および舞台位置を模式的に示す表とが示されている。この表には、文章位置を示す列（列２６２）と、舞台位置を示す列（列２６３）とが示され、列２６２には、先頭の画像からの画像の枚数（ページ数）により文章位置が指定されることが示されている。
【００７３】
このように、複数の画像により構成される画像データ群において文章位置を指定する場合には、先頭の画像からの画像の枚数（ページ数）により文章位置を指定することができる。
【００７４】
なお、図６では、１枚の画像内に複数のコマがあることを想定（例えば、マンガ）した図面を図示したが、ページ数により文章位置を指定することは、複数のコマがない場合（例えば、絵本）においても実施することができる。なお、１枚の画像内に複数のコマがある場合には、コマごとに文章位置を指定することも考えられ、この例については図８において説明する。
【００７５】
［オーディオのコンテンツにおける文章位置と舞台位置との関連例］
図７は、本技術の第１の実施の形態において、オーディオが格納されたコンテンツにおける文章位置と舞台位置との関連付けを模式的に示す図である。
【００７６】
図７には、オーディオが格納されたコンテンツ（シナリオデータ１２１）を模式的に示す矩形（オーディオデータ２７１）と、位置情報リンクデータ１２２における文章位置および舞台位置を模式的に示す表とが示されている。この表には、文章位置を示す列（列２７２）と、舞台位置を示す列（列２７３）とが示され、列２７２には、オーディオデータ（トラック）の先頭からの経過時間（再生時間）により文章位置が指定されることが示されている。
【００７７】
このように、オーディオデータの文章位置を指定する場合には、オーディオデータの再生時間により文章位置を指定することができる。
【００７８】
［マンガの画像データ群における文章位置と舞台位置との関連例］
図８は、本技術の第１の実施の形態において、マンガの画像データ群が格納されたコンテンツにおける文章位置と舞台位置との関連付けを模式的に示す図である。
【００７９】
図８ａには、先頭の画像からの画像の枚数（ページ数）およびページ内におけるコマの番号でマンガの文章位置を指定する例が示され、図８ｂには、ページ数およびページ内における吹き出しの番号でマンガの文章位置を指定する例が示されている。
【００８０】
図８ａには、２枚のマンガの画像（画像２８４、画像２８５）と、位置情報リンクデータ１２２における文章位置および舞台位置を模式的に示す表とが示されている。この表には、文章位置を示す列（列２８２）と、舞台位置を示す列（列２８３）とが示され、列２８２には、先頭の画像からの画像の枚数（ページ数）およびページ内におけるコマの番号により文章位置が指定されることが示されている。
【００８１】
図８ａに示すように、マンガは、「コマ割り」と呼ばれるようにページを「コマ」と言われる領域に複数に分割し、このコマ単位で物語が進行する。このため、各ページのコマを進行の順番にナンバリングし、このナンバリングに関する情報をシナリオデータ１２１に格納しておくことで、コマ単位で文章位置を指定して舞台位置を関連付けることができる。
【００８２】
図８ｂには、２枚のマンガの画像（画像２９４、画像２９５）と、位置情報リンクデータ１２２における文章位置および舞台位置を模式的に示す表とが示されている。この表には、文章位置を示す列（列２９２）と、舞台位置を示す列（列２９３）とが示され、列２９２には、先頭の画像からの画像の枚数（ページ数）およびページ内における吹き出しの番号により文章位置が指定されることが示されている。
【００８３】
図８ｂに示すように、マンガは、登場人物のセリフが「吹き出し」として記述され、この「吹き出し」の中に記載されたセリフを通して物語が進行する。このため、各ページの吹き出しを進行の順番にナンバリングし、このナンバリングに関する情報をシナリオデータ１２１に格納しておくことで、吹き出し単位で文章位置を指定して舞台位置を関連付けることができる。
【００８４】
次に、位置情報リンクデータに格納される情報について、図８を参照して説明する。
【００８５】
［位置情報リンクデータの一例］
図９は、本技術の第１の実施の形態の記憶部１２０に保持される位置情報リンクデータに格納される情報の一例を模式的に示す図である。
【００８６】
図９ａには、位置情報リンクデータに格納される情報の一例を示す表が示され、図８ｂには、位置情報リンクデータに格納される情報のうちのタイプ情報を説明するための表が示されている。
【００８７】
なお、図９ａでは、テキストが格納されたコンテンツ（シナリオデータ）に対する位置情報リンクデータを想定して説明する。
【００８８】
図９ａに示すように、位置情報リンクデータでは、文章位置を示す情報である文章位置情報（列２３１）と、舞台位置に関する情報である舞台位置情報（列２３４）とが関連付けられている。なお、テキストが格納されたシナリオデータに対する位置情報リンクデータであるため、文章位置情報（列２３１）として、行番号（列２３２）と、行頭からの文字数（列２３３）とが格納される。
【００８９】
また、舞台位置情報（列２３４）には、緯度（列２３５）と、経度（列２３６）と、名称（列２３７）と、関連情報（列２３８）と、タイプ情報（列２３９）とが格納される。
【００９０】
緯度（列２３５）および経度（列２３６）は、舞台位置情報として最低限必要な情報であり、これらにより、地図上の位置が特定される。
【００９１】
名称（列２３７）は、緯度（列２３５）および経度（列２３６）により特定される地点の名称であり、関連情報（列２３８）は、緯度（列２３５）および経度（列２３６）により特定される地点に関する付加的な情報である。なお、名称（列２３７）および関連情報（列２３８）は必須な情報ではなく、情報がない場合には格納されない。なお、名称および関連情報は、例えば、緯度および経度により特定される地点を示すアイコン（図３の舞台位置アイコン２２３参照）の側に、ポップアップ表示される。
【００９２】
タイプ情報（列２３９）は、このタイプ情報が属する舞台位置情報の種類を識別するための情報である。なお、舞台位置情報の種類には２種類あり、１つは、前後の文章位置の舞台位置情報と無関係であって個々が独立して位置を示す舞台位置情報（静止型）である。また、もう１つは、前後の文章位置の舞台位置情報と連続しており、連続した複数の舞台位置情報によりライン状の移動経路を示す舞台位置情報（移動型）である。舞台位置情報の種類を示すタイプ情報（列２３９）を舞台位置情報として格納することにより、地図上に移動ルートを描画することや、その描画した移動ルート上で舞台位置を徐々に移動させることができる。
【００９３】
ここで、タイプ情報の一例について、図９ｂを参照して説明する。
【００９４】
図９ｂには、タイプ情報として格納される４つの値（０乃至３）と、その４つの値が示す意味（内容）とを示す表が示されている。値が「０」の場合には、静止型を示し、移動ルートの描画などはされない。値が「１」の場合には、移動型の開始位置を示し、この値が格納されている舞台位置情報と関連付けられている文章位置が再生される場合には、移動型の終了位置（タイプ情報の値が「３」の情報）までの連続した舞台位置情報に基づいて移動ルートを生成し、地図上に描画する。また、値が「２」の場合には、移動型の途中位置を示し、値が「３」の場合には、移動型の終了位置を示す。
【００９５】
このように、位置情報リンクデータは、文章位置情報と、この文章位置情報に関連付けられた舞台位置情報とが、文章位置の数に応じて複数格納されたデータ構造となる。すなわち、位置情報リンクデータでは、コンテンツの文章位置（再生位置）と、この文章位置に関連する地図上の位置に関する情報（地理に関する情報）とが関連付けられて、複数格納される。
【００９６】
なお、図９で示した舞台位置情報は一例であり、位置情報リンクデータの用途に応じてさらに他の情報を格納するようにしてもよい。例えば、地図の表示倍率に関する情報を格納することにより、地図の表示を細かく制御することができる。
【００９７】
また、複数の地図を用いる場合（例えば、年代ごと（１９００年代、１６００年代、ｅｔｃ）の地図を利用する場合）には、用いる地図を特定するための情報を格納することにより、複数の地図の使い分けを容易に行うことができる。
【００９８】
次に、コンテンツの表示例について、テキストのコンテンツおよびマンガのコンテンツを想定し、図１０を参照して説明する。
【００９９】
［コンテンツの表示例］
図１０は、本技術の第１の実施の形態における表示部１３０にコンテンツを表示する際の表示の一例を模式的に示す図である。
【０１００】
図１０ａには、テキストのコンテンツの表示例が示され、図１０ｂには、マンガのコンテンツの表示例が示されている。
【０１０１】
図１０ａには、コンテンツを表示する画面（表示画面３１０）内に、テキストデータの表示領域（コンテンツ表示領域３１１）と、操作ボタンを表示するための領域（操作ボタン表示領域３１２）とが示されている。また、コンテンツ表示領域３１１には、表示中の文章に舞台位置情報が関連付けられていることを通知するためのアイコン（アイコン３１３）が示されている。
【０１０２】
なお、アイコン３１３以外は、図３の表示画面１３１に示したものにそれぞれ対応するため、ここでの詳細な説明を省略する。このアイコン３１３のような舞台位置情報があることを示す標識を表示することにより、舞台位置情報の存在をユーザに通知することができる。
【０１０３】
なお、図１０ａでは、既読部分と、未読部分とをテキストの色で区別する例について示しているが、区別の方法は、他にも種々の方法が考えられる。例えば、シナリオにおける再生中の位置（進行位置）のテキストの横にアイコンを表示し、シナリオの進行とともにアイコンの位置を移動させる方法が考えられる。また、シナリオの進行位置の文字のみについて、色を変えたり、文字サイズや文字フォントを変更したり、シナリオの進行とともに変更する文字の位置を移動させたりする方法なども考えられる。
【０１０４】
図１０ｂには、コンテンツを表示する画面（表示画面３２０）内に、マンガ（画像データ群）の表示領域（コンテンツ表示領域３２１）と、操作ボタンを表示するための領域（操作ボタン表示領域３２２）とが示されている。また、表示画面３２０内には、コンテンツ表示領域３２１に表示している画像データにおけるシナリオの進行状況を通知するためのバー表示（プログレスバー３２４）が示されている。また、コンテンツ表示領域３２１には、表示中の画像データに舞台位置情報が関連付けられていることを通知するためのアイコン（アイコン３２３）が示されている。
【０１０５】
なお、図１０ｂに示すプログレスバー３２４以外は、図１０ａに示したものにそれぞれ対応するためここでの説明を省略し、ここでは、プログレスバー３２４に着目して説明する。
【０１０６】
プログレスバー３２４は、コンテンツ表示領域３２１に表示している画像データにおけるシナリオの進行に合わせてバーの長さが逐次更新される。これにより、ユーザは、シナリオの進行状況を通知することができる。すなわち、プログレスバー３２４を表示することにより、画像データのようにページ内での再生中の再生位置（進行位置）を指し示すことが難しい場合においても、シナリオの進行状況を通知することができる。
【０１０７】
なお、プログレスバー３２４は、バー表示に限定されるものではなく、例えば、円グラフや砂時計マークの残量などで表することもできる。
【０１０８】
また、図１０ｂに示す例の他に、マンガのコマ単位や吹出し単位で画像を進行させられる場合（シナリオデータに、コマ番号や吹き出し番号が格納されている場合）には、図１０ａのテキストのコンテンツの例と同様に、既読部分と未読部分とで色を変えたりすることが考えられる。または、シナリオの進行位置に対応するコマや吹出しのみについて表示色を変えたり、大きく飛び出した表示にしたりすることも考えられる。
【０１０９】
［効果例］
図１１は、本技術の第１の実施の形態の効果の一例を模式的に示す図である。
【０１１０】
なお、図１１では、図２で示したテキストのコンテンツを用いて、シナリオの進行と舞台位置の表示の遷移との関係について説明する。
【０１１１】
図１１では、図１１ａに示す状態から図１１ｂに示す状態へシナリオが進行し、そして、図１１ｂに示す状態から図１１ｃに示す状態へシナリオが進行したことを想定して説明する。
【０１１２】
なお、これまでと同様に、図１１ａ乃至図１１ｃにおいて表されている文章（文章３４１、文章３５１、文章３６１）の黒色の文字は既読を示し、灰色の文字は未読を示す。
【０１１３】
図１１ａの文章３４１では、文章３４１内の４行目の途中までが黒色の文字により示されている。そして、図１１ａの地図が表示される画面（表示画面３４２）には、舞台位置の移動ルートを示す線（移動ルート３４４）の開始位置に、コンテンツの朗読位置に対応した地図上の位置を示すアイコン（舞台位置アイコン３４３）が示されている。
【０１１４】
また、図１１ｂの文章３５１では、文章３４１よりシナリオが進行し、文章３５１内の５行目の途中までが黒色の文字により示されている。そして、表示画面３５２には、移動ルート３４４上を開始位置から移動して、開始位置から直線に続く道を曲がった辺りの位置に、舞台位置アイコン３５３が示されている。
【０１１５】
図１１ｃの文章３６１では、文章３５１よりシナリオが進行し、文章３６１内の１１行目の途中までが黒色の文字により示されている。そして、図１１ｃの表示画面３６２には、図１１ｂの舞台位置アイコン３５３が示す位置から移動ルート３４４上をさらに進み、表示画面３６２の下辺付近の川を渡る位置に、舞台位置アイコン３６３が示されている。
【０１１６】
このように、コンテンツ（シナリオデータ）に対応する位置情報リンクデータを用いることにより、シナリオの進行に伴って、そのシナリオに関連する地図上の位置表示（舞台表示）を更新することができる。
【０１１７】
［表示装置の動作例］
次に、本技術の第１の実施の形態における表示装置１０の動作について図面を参照して説明する。
【０１１８】
図１２は、本技術の第１の実施の形態における表示装置１０によりシナリオ表示および舞台表示が行われる際の処理手順例を示すフローチャートである。
【０１１９】
なお、図１２で示すフローチャートでは、再生対象のコンテンツ（シナリオデータ）をユーザが選択した後の処理手順を示す。
【０１２０】
まず、再生対象のシナリオデータが、制御部１５０により記憶部１２０から読み出される（ステップＳ９０１）。続いて、読み出したシナリオデータに対応する位置情報リンクデータが、制御部１５０により記憶部１２０から読み出される（ステップＳ９０２）。なお、ステップＳ９０２は、特許請求の範囲に記載の取得手順の一例である。
【０１２１】
その後、読み出されたシナリオデータに基づいて、表示部１３０へのシナリオデータの表示（再生）が制御部１５０により開始される（ステップＳ９０３）。
【０１２２】
そして、シナリオの再生中の再生位置（進行位置）に対応する文章位置に関連付けられている舞台位置情報が、読み出した位置情報リンクデータから取得され、この取得した舞台位置情報が、制御部１５０により解析される（ステップＳ９０４）。続いて、舞台位置情報の解析結果に基づいて、表示部１３０に表示する舞台表示を更新するか否かが、制御部１５０により判断される（ステップＳ９０５）。そして、舞台表示を更新しないと判断された場合には（ステップＳ９０５）、ステップＳ９０７に進む。
【０１２３】
一方、舞台表示を更新すると判断された場合には（ステップＳ９０５）、舞台表示が更新される（ステップＳ９０６）。なお、ステップＳ９０５において舞台表示を更新すると判断される場合とは、例えば、シナリオの進行により、解析対象の舞台位置情報が、次の文章位置の舞台位置情報に切り替わった場合が相当する。また、ステップＳ９０６においては、静止型の舞台位置情報に切り替わった場合には、舞台位置とともに表される地図も更新される。また、移動型の舞台位置情報のうちの開始の舞台位置情報に切り替わった場合には、舞台位置を示すアイコンと、移動ルートと、地図とが更新される。また、移動型の舞台位置情報のうちの途中および終了の舞台位置情報に切り替わった場合には、舞台位置を示すアイコンの地図上における位置のみが更新される。なお、ステップＳ９０６は、特許請求の範囲に記載の制御手順の一例である。
【０１２４】
その後、再生対象のシナリオデータの最後まで再生したか否かが、制御部１５０により判断され（ステップＳ９０７）、最後まで再生したと判断された場合には、シナリオ表示および舞台表示の処理手順は終了する。
【０１２５】
一方、シナリオデータの最後まで再生していないと判断された場合には（ステップＳ９０７）、シナリオデータの表示が更新され（ステップＳ９０８）、ステップＳ９０４に戻る。
【０１２６】
このように、本技術の第１の実施の形態によれば、位置情報リンクデータを用いて、コンテンツの進行に合わせて舞台表示を更新することにより、再生中のコンテンツの内容に関連する地理的な情報をユーザが容易に取得することができる。
【０１２７】
なお、図１２のステップＳ９０５およびステップＳ９０６では、舞台位置情報の切り替わりで表示が更新されることを想定したがこれに限定されるものではない。例えば、移動型の舞台位置情報が解析対象の際には、移動型の終了地点を示すタイプ情報の舞台位置情報になるまで地図上に描いた移動ルートの上を徐々に移動するように、舞台位置情報が変わらずとも舞台表示の舞台位置アイコンの位置がシナリオの進行に合わせて更新されるようにしてもよい。
【０１２８】
＜２．第２の実施の形態＞
本技術の第１の実施の形態では、シナリオ（コンテンツ）の進行位置に対応した舞台位置を地図上に表示する例について説明した。なお、表示される地図では、その土地の基本的な地理的情報が表示される。基本的な地理的情報のみだけでなく、その土地に関するさらなる情報（関連情報）がユーザの嗜好に合わせて表示されると、利便性がより高まる。
【０１２９】
そこで、本技術の第２の実施の形態では、地図上に舞台位置を表示するとともに、その土地の関連情報も表示する例について、図１３乃至図１７を参照して説明する。
【０１３０】
［記憶部の保持データの一例］
図１３は、本技術の第２の実施の形態における記憶部１２０に保持されるデータを模式的に示す図である。
【０１３１】
なお、本技術の第２の実施の形態における構成図は、図１において示した表示装置１０の構成図と同様のものである。しかしながら、本技術の第２の実施の形態では、記憶部１２０に保持されるデータが本技術の第１の実施の形態と異なる。このため、構成図については、図１を参照してここでの説明を省略する。
【０１３２】
本技術の第２の実施の形態の記憶部１２０には、シナリオデータ１２１と、位置情報リンクデータ１２２と、地図データ１２３と、ＰＯＩ（Point Of Interest）データ１２４とが保持される。なお、ＰＯＩデータ１２４以外のデータは、図４において示した各データと同様のものであるため、ここでの説明を省略する。
【０１３３】
ＰＯＩデータ１２４は、所定のテーマに基づいて集められた位置（地点）と、その位置に関する情報とが関連付けられた情報（ＰＯＩ情報）が格納されている情報である。この所定のテーマには種々のテーマが考えられるが、本技術の第２の実施の形態では、４つのＰＯＩデータが記憶部１２０に保持されていることを想定して説明する。なお、この４つのＰＯＩデータのうちの１つは、シナリオデータ１２１ごとに用意されるＰＯＩデータであり、シナリオデータ１２１のコンテンツの内容に関連する地点（地図上の地物）の地理的な位置情報と、この地点を説明するための情報とが関連付けられたＰＯＩデータである。なお、ＰＯＩデータ１２４は、一般的な地図表示ソフトのＰＯＩデータに対応する情報であり、ユーザが表示するＰＯＩデータを予め設定しておくことにより、ユーザが追加したい情報が地図表示において追加される。
【０１３４】
なお、図１３では、ＰＯＩデータ１２４を単独の情報として保持させる例について説明するが、これに限定されるものではない。シナリオデータごとに専用のＰＯＩデータとして用意されるＰＯＩデータは、位置情報リンクデータ１２２内に、本来の位置情報リンクデータと区別できるようにして格納する場合も考えられる。
【０１３５】
［ＰＯＩデータの表示の設定画面の一例］
図１４は、本技術の第２の実施の形態において、舞台表示におけるＰＯＩデータの表示の有無を設定するための設定画面（ＰＯＩ表示設定画面）の一例を模式的に示す図である。
【０１３６】
この図１４で示すＰＯＩ表示設定画面（表示画面４５０）には、ＰＯＩ表示のオンオフを設定するための２つのラジオボタン（ラジオボタン４５１、ラジオボタン４５２）が示されている。また、表示画面４５０には、ＰＯＩ表示をオンにするラジオボタン（ラジオボタン４５２）を選択した場合に、表示するＰＯＩデータを選択するための４つのチェックボタン（チェックボタン群４５３）が示されている。さらに、表示画面４５０には、表示画面４５０における選択を決定するボタン（ＯＫボタン４５４）と、表示画面４５０における選択をキャンセルするボタン（Ｃａｎｃｅｌボタン４５５）とが示されている。
【０１３７】
なお、図１４では、４つのＰＯＩデータとして、歴史的な建造物に関する情報（歴史情報）と、グルメに関する情報（グルメ情報）と、コンビニエンスストア（コンビニ）に関する情報（コンビニ情報）と、ドラマの撮影現場に関する情報（ドラマ撮影情報）とが示されている。ここで、歴史情報は、再生対象のシナリオデータ専用のＰＯＩデータであることとする。
【０１３８】
例えば、ＰＯＩ表示をオフにするラジオボタン（ラジオボタン４５１）を選択した後に、ＯＫボタン４５４を押下すると、舞台表示には、ＰＯＩ情報は何にも表示されない。
【０１３９】
また、ＰＯＩ表示をオンにするラジオボタン（ラジオボタン４５２）を選択した後に、チェックボタン群４５３において表示させたいＰＯＩ情報にチェックを入れて、ＯＫボタン４５４を押下すると、舞台表示にチェックを入れたＰＯＩ情報が表示される。
【０１４０】
この表示画面４５０で示すようなＰＯＩデータの表示の有無を設定する画面を、再生対象のコンテンツ（シナリオデータ）の選択後に表示させることにより、舞台表示におけるＰＯＩ情報の表示を設定することができる。
【０１４１】
［効果例］
図１５は、本技術の第２の実施の形態の効果の一例を模式的に示す図である。
【０１４２】
なお、図１５では、ＰＯＩデータにおいて情報が存在する位置の付近に舞台位置アイコンが近づいた場合に、その位置のＰＯＩ情報を表示する例について説明する。
【０１４３】
図１５には、ＰＯＩ情報が表示されるタイミングおよびこのタイミングの前後の表示を示す３つの表示画面（表示画面４６０、４７０、４８０）が示されている。
【０１４４】
表示画面４６０は、地図上に示されたシナリオの進行位置（舞台位置アイコン）が、ＰＯＩ情報の位置から、予め設定された設定距離以内に入る前のタイミングにおける舞台表示が示されている。なお、表示画面４６０に示されている移動ルート４６３および舞台位置アイコン４６１は、図３や図１１で示した移動ルートおよび舞台位置アイコンに対応するため、ここでの説明を省略する。また、表示画面４６０には、ＰＯＩ情報がある位置を示すアイコン（ＰＯＩ情報アイコン４６２）が示されている。
【０１４５】
表示画面４６０に示すように、ＰＯＩ情報アイコン４６２から設定距離以内（例えば、ＰＯＩ情報アイコン４６２の位置からこのアイコンの大きさで２個分以内の距離）に舞台位置アイコン４６１が無い場合には、このＰＯＩ情報アイコン４６２が備えるＰＯＩ情報は表示されない。
【０１４６】
表示画面４７０は、舞台位置アイコンがＰＯＩ情報の位置から設定距離以内に入ったタイミングにおける表示画面が示されている。表示画面４７０では、ＰＯＩ情報アイコン４６２から設定距離以内に舞台位置アイコン４７１があり、ＰＯＩ情報アイコン４６２の位置のＰＯＩ情報がポップアップ表示（ポップアップ表示４７４）されている。
【０１４７】
表示画面４８０は、舞台位置アイコンがＰＯＩ情報の位置から設定距離以内に入った後に、この設定距離以内から出たタイミングにおける表示画面が示されている。表示画面４８０では、舞台位置アイコン４８１がＰＯＩ情報アイコン４６２から設定距離よりも離れたため、表示画面４７０に示したポップアップ表示４７４が消されている。
【０１４８】
このように、記憶部１２０にＰＯＩデータを保持させることによって、舞台位置近傍の土地に関するさらなる情報をユーザの嗜好に合わせて表示させることができる。
【０１４９】
なお、図１５では、ＰＯＩ情報アイコンから設定距離以内に舞台位置アイコンが入った場合にＰＯＩ情報をポップアップ表示する例について説明したが、これに限定されるものではない。例えば、常に表示させておく場合なども考えられる。
【０１５０】
なお、図１５では、ポップアップ表示４７４について、付加的な情報のみが単に表示される例を想定して説明したが、ポップアップ表示４７４の内容については、種々の例が考えられる。例えは、ＰＯＩデータにリンクに関する情報が保持されている場合には、このリンクを機能させるためのボタンをポップアップ表示４７４の内に表示することが考えられる。
【０１５１】
図１６は、本技術の第２の実施の形態においてＰＯＩ情報を表示するためのポップアップ表示に関する図１５のポップアップ表示４７４とは別の例である。
【０１５２】
この図１６で示すポップアップ表示（ポップアップ表示５１０）には、図１５のポップアップ表示４７４に示したようなＰＯＩ情報に加えて、リンクボタン５１１が示されている。
【０１５３】
リンクボタン５１１は、ポップアップ表示５１０においてユーザに通知した情報に対して関連する別の地理的な位置情報付きの関連情報(関連するＰＯＩ情報）を表示させるためのボタンである。このリンクボタン５１１を押下すると、関連するＰＯＩ情報に基づいて、この関連するＰＯＩ情報が指し示す位置の地図が表示されたり、この関連するＰＯＩ情報に格納されている情報が表示されたりする。このように、さらに位置を移動させることを可能とすることにより、例えば、シナリオ当時あった物件が現在は他の地点に移設された場合などに、容易にたどることができる。
【０１５４】
［表示装置の動作例］
次に、本技術の第２の実施の形態における表示装置の動作について図面を参照して説明する。
【０１５５】
図１７は、本技術の第２の実施の形態における表示装置によりシナリオ表示および舞台表示が行われる際の処理手順例を示すフローチャートである。
【０１５６】
なお、図１７において示すフローチャートは、図１２において示した本技術の第１の実施の形態のフローチャートの変形例であり、ＰＯＩデータに関する処理が追加されている点のみが異なる。そこで、図１７では、図１２のフローチャートと同じ処理手順については、同一の符号を付してここでの説明を省略する。
【０１５７】
なお、図１７では、図１４において示したＰＯＩ表示の設定画面において、ＰＯＩ表示がオンに設定され、表示するＰＯＩデータが選択されていることを想定して説明図する。
【０１５８】
ステップＳ９０２において読み出したシナリオデータの位置情報リンクデータが読み出されると、表示するＰＯＩ情報が格納されているＰＯＩデータが、制御部１５０により記憶部１２０から読み出され（ステップＳ９１１）、その後、ステップＳ９０３に進む。
【０１５９】
また、ステップＳ９０６において舞台表示が更新された後に、舞台位置から設定距離内にＰＯＩがあるか否かが、制御部１５０により判断される（ステップＳ９１２）。そして、舞台位置から設定距離内にＰＯＩがないと判断された場合には（ステップＳ９１２）、ステップＳ９０７に進む。なお、ステップＳ９０６においては、地図上に、ＰＯＩ情報がある位置を示すアイコン（図１５のＰＯＩ情報アイコン）も表示される。
【０１６０】
一方、舞台位置から設定距離内にＰＯＩがあると判断された場合には（ステップＳ９１２）、そのＰＯＩに関する情報（ＰＯＩ情報）を表示し（ステップＳ９１３）、ステップＳ９０７に進む。
【０１６１】
このように、本技術の第２の実施の形態によれば、ＰＯＩ情報を表示させることにより、ユーザの嗜好に合わせて選択された情報が舞台表示にさらに加わって、利便性をより高めることができる。
【０１６２】
＜３．第３の実施の形態＞
本技術の第１および第２の実施の形態では、舞台位置を表示する例について説明した。なお、その表示されている舞台位置の付近にユーザがいる場合には、ユーザの位置（現在位置）も表示されるようにすると、舞台探訪を行うユーザにとってより利便性が高まる。
【０１６３】
そこで、舞台位置とともにユーザの現在位置が表示される例について、本技術の第３の実施の形態として図１８および図１９を参照して説明する。
【０１６４】
［表示装置の機能構成例］
図１８は、本技術の第３の実施の形態における表示装置２０の機能構成の一例を示すブロック図である。
【０１６５】
なお、表示装置２０は、図１において示した表示装置１０の変形例であり、表示装置１０の各構成に加えて、位置情報取得部１６０が加わる点のみが異なる。そこで、ここでは、位置情報取得部１６０に着目して説明する。
【０１６６】
位置情報取得部１６０は、ユーザの実際の現在位置（すなわち、表示装置１０の現在位置）を取得するものである。この位置情報取得部１６０は、例えば、ＧＰＳ衛星から送信されるＧＰＳ信号に基づいて位置情報（経度、緯度）を定期的または不定期に取得して位置情報を生成するＧＰＳ受信機により実現される。
【０１６７】
［表示例］
図１９は、本技術の第３の実施の形態における舞台表示の一例を示す図である。
【０１６８】
図１９に示す舞台表示画面（表示画面６３０）では、地図表示の上に、シナリオの進行位置に対応する地図上の位置（舞台位置）を示すアイコン（舞台位置アイコン６３１）と、舞台位置の移動経路を示す線（移動ルート６３２）とが示されている。さらに、表示画面６３０には、地図表示の上に、位置情報取得部１６０が取得したユーザの実際の現在位置を示すアイコン（現在位置アイコン６３３）が示されている。
【０１６９】
このように、舞台位置に加えて、ユーザの実際の現在位置も表示することにより、この地図上の舞台位置の移動に合わせてユーザが移動することが可能となり、物語の背景をより深く体感することが可能となる。
【０１７０】
なお、フローチャートについては、図１２のステップＳ９０５における舞台表示を更新するか否かの判断の際に、位置情報取得部１６０が取得したユーザの現在位置が変わった場合にも更新すると判断される点のみが異なるだけであるため、ここでの図示を省略する。
【０１７１】
このように、本技術の第３の実施の形態によれば、舞台位置に現在位置を表示することにより、ユーザにとっての利便性をより高めることができる。
【０１７２】
なお、図１８および図１９では、舞台位置とともに現在位置を表示する例について説明したが、これに限定されるものではなく、例えば、本技術の第２の実施の形態において示したＰＯＩも一緒に表示することもできる。なお、この場合におけるＰＯＩ情報の表示は、ＰＯＩの設定距離以内に舞台位置が入った場合だけでなく、ＰＯＩの設定距離以内にユーザの現在位置が入った場合に表示するようにすることもできる。また、ＰＯＩの設定距離以内に舞台位置が入った際のＰＯＩ情報の表示の有無を、ユーザの現在位置に基づいて判定するように、ユーザに設定させることもできる。
【０１７３】
また、ユーザの現在位置がＰＯＩの設定距離以内に入った際に表示されるＰＯＩ情報と、舞台位置がＰＯＩの設定距離以内に入った際に表示されるＰＯＩ情報とが異なる情報となるようにＰＯＩ情報を用意することもできる。また、ユーザの現在位置がＰＯＩの設定距離以内に入った際にしか表示されないＰＯＩ情報を用意することもできる。
【０１７４】
［変形例］
本技術の第１乃至第３の実施の形態では、実際の地図の上に舞台位置があることを想定して説明した。しかしながら、コンテンツ（シナリオデータ）がフィクションである場合には、架空の地図上でストーリーが進行する。このような場合においても、架空の地図に経度および緯度を設定することにより、本技術の第１乃至第３の実施の形態と同様に実施することができる。
【０１７５】
次に、架空の地図を表示する例について、本技術の変形例として、図２０を参照して説明する。
【０１７６】
［架空の地図の表示例］
図２０は、本技術の変形例として、架空の地図を表示する際の表示の一例を模式的に示す図である。
【０１７７】
なお、図２０は、図３の変形例であり、図３における舞台位置の表示画面（表示画面１３２）における表示が、架空の地図になっている点が異なるのみである。このため、ここでは、図２０の舞台位置の表示画面（表示画面７１０）に着目して説明する。
【０１７８】
表示画面７１０には、架空の地図の上に、舞台位置を示すアイコン（舞台位置アイコン７１１）と、舞台位置の移動経路を示す線（移動ルート７１２）とが示されている。
【０１７９】
また、表示画面７１０には、表示画面７１０に表示されている地図が架空の地図であることをユーザに通知するためのメッセージボックス（メッセージボックス７１３）が示されている。なお、メッセージボックス７１３は、文章での表示ではなく、アイコンでの表示であってもよい。
【０１８０】
なお、例えば、架空の惑星Ａ、惑星Ｂなどのように、複数の架空の地図が存在して表示を切り替える場合には、それぞれの地図であることを示すアイコンを表示し、このアイコンの選択により地図を切り替えられるようにすることも考えられる。このように、架空の地図を用いて舞台表示を行うこともできる。
【０１８１】
このように、本技術の実施の形態によれば、再生中のコンテンツの内容に関連する地理的な情報をユーザが容易に取得することができる。これにより、小説、紀行文、マンガ、朗読などのシナリオの流れに沿って、その舞台となっている地点を地図上で具体的に把握する事ができる。
【０１８２】
また、シナリオに関連するＰＯＩ情報（地理的な位置情報付きの関連情報）をシナリオの進行と共に見ることができる。このＰＯＩ情報に、関連する別のＰＯＩ情報を関連付けることにより、当時あった建築物が移築されてしまった場合でも現在存在する場所の情報を得ることや、ドラマ化された場合に、実際とは異なる地点で撮影したロケ地の情報などを得ることなどが可能となる。
【０１８３】
また、ユーザの現在位置を同時に地図上に表示することにより、シナリオの舞台となる地図上に自分自身の現在位置が表示され、シナリオの舞台をより体感することができる。
【０１８４】
＜４．第４の実施の形態＞
本技術の第１の実施の形態では、表示装置１０は、舞台位置を変更する際に、必要に応じて地図を切り替えていた。しかし、ある舞台位置から、その位置とは遠く離れた位置へ舞台位置を変更する場合には、ユーザにとって、変更前後のそれぞれの舞台位置の位置関係を把握することが困難になるおそれがある。そこで、舞台位置が大きく変わる場合には、変更前後の舞台位置の両方を含む地図を表示させてから地図を切り替えることが望ましい。第４の実施の形態の表示装置１０は、変更前後の舞台位置の両方を含む地図を表示させてから地図を切り替える点において第１の実施の形態と異なる。
【０１８５】
［記憶部の保持データの一例］
図２１は、本技術の第４の実施の形態における記憶部１２０に保持されるデータを模式的に示す図である。第４の実施の形態では、複数の地図データ１２３が階層化されている点において第１の実施の形態と異なる。これらの階層化された地図データ１２３は、階層化地図データ１２５として保持される。
【０１８６】
地図データ１２３は、複数の階層に階層化されている。ある階層の地図データ１２３は、自分を親として、その階層より下位の階層の複数の地図データ１２３を子として持つことができる。その子の地図データ１２３は、自分を親として、さらに下位の階層の複数の地図データ１２３を子として持つことができる。子の地図データ１２３は、複数の親を持つことはない。また、地図データ１２３の縮尺は階層ごとに異なり、親の地図データ１２３の縮尺は、子の地図データ１２３の縮尺より大きい。そして、親の地図データ１２３は、子の地図データ１２３の各々を含む領域を表す地図データである。
【０１８７】
例えば、図４に例示するように、最上位に日本全国の地図データＭ０を配置し、上から２番目の階層に国内の各地方（関東地方など）の地図データＭ１−１等を配置する。そして、上から３番目の階層に地方内の都道府県の地図データＭ２−１等を配置し、その下位の階層に、都道府県内の市町村の地図データ１２３を配置する。
【０１８８】
［地図の表示例］
図２２は、本技術の第４の実施の形態における地図の表示の一例を示す図である。図２２ａは、舞台位置を変更する前の地図７２０の一例を示す図である。この地図７２０には、変更前の舞台位置を示す舞台位置アイコン７２１が表示される。図２２ｂは、変更前後の舞台位置を含む地図７３０の一例を示す図である。この地図７３０には、変更前の舞台位置を示す舞台位置アイコン７３１と変更後の舞台位置を示す舞台位置アイコン７３２とが表示される。図２２ｃは、舞台位置を変更した後の地図７４０の一例を示す図である。地図７４０には、変更後の舞台位置を示す舞台位置アイコン７４１が表示される。
【０１８９】
制御部１５０は、図２２ａに示す地図を表示した後に舞台位置を変更する際、変更前後の舞台位置間の距離が一定距離より長いか否かを判断する。舞台位置間の距離が一定距離より長い場合、制御部１５０は、変更前後の舞台位置の両方を含む地図７３０を取得する。具体的には、制御部１５０は、地図７２０と地図７４０との両方を子とする親の地図７３０を記憶部１２０から読み出す。制御部１５０は、図２２ｂに例示するように、取得した地図７３０を表示させた後に、図２２ｃに例示するように、変更後の舞台位置を含む地図７４０に切り替える。一方、舞台位置間の距離が一定距離以下である場合、制御部１５０は、変更前後の舞台位置を含む地図を表示させずに、地図を切り替える。
【０１９０】
［表示装置の動作例］
図２３は、本技術の第４の実施の形態における表示装置１０によりシナリオ表示および舞台表示が行われる際の処理手順例を示すフローチャートである。第４の実施の形態の処理手順は、表示装置１０が、ステップＳ９０６の代わりに舞台位置表示更新処理（ステップＳ９２０）を実行する点において第１の実施の形態と異なる。
【０１９１】
図２４は、本技術の第４の実施の形態における舞台位置表示更新処理の一例を示すフローチャートである。表示装置１０は、地図を更新するか否かを判断する（ステップＳ９２１）。変更後の舞台位置が表示中の地図上の位置であれば、地図を更新する必要はない。一方、変更後の舞台位置が表示中の地図上の位置でなければ、地図を更新する必要が生じる。
【０１９２】
地図を更新する場合（ステップＳ９２１：Ｙｅｓ）、表示装置１０は、変更前後の舞台位置間の距離が、一定距離Ｄｃより長いか否かを判断する（ステップＳ９２２）。舞台位置間の距離が一定距離Ｄｃよりも長い場合には（ステップＳ９２２：Ｙｅｓ）、表示装置１０は、変更前後の舞台位置を含む地図に更新する（ステップＳ９２３）。そして、表示装置１０は、変更前後のそれぞれの舞台位置を示すアイコンを、更新した地図上に表示させる（ステップＳ９２４）。
【０１９３】
舞台位置間の距離が一定距離Ｄｃより長くない場合（ステップＳ９２２：Ｎｏ）、または、ステップＳ９２４の後、表示装置１０は、変更後の舞台位置を含む地図に更新する（ステップＳ９２５）。地図を更新しない場合（ステップＳ９２１：Ｎｏ）、または、ステップＳ９２５の後、表示装置１０は、変更後の舞台位置を示すアイコンを、更新した地図上に表示させる（ステップＳ９２６）。ステップＳ９２６の後、表示装置１０は、舞台位置表示更新処理を終了する。
【０１９４】
このように、本技術の第４の実施の形態によれば、表示装置１０は、変更前後の舞台位置の両方を含む地図を表示させてから地図を切り替えるため、変更前後の舞台位置の位置関係をユーザに容易に把握させることができる。
【０１９５】
＜６．第６の実施の形態＞
本技術の第４の実施の形態では、表示装置１０は、表示画面には１つの地図しか表示させていなかった。しかし、表示装置１０は、表示画面に複数の地図を表示させることもできる。第５の実施の形態の表示装置１０は、表示画面に複数の地図を表示させる点において第４の実施の形態と異なる。
【０１９６】
［地図の表示例］
図２５は、本技術の第５の実施の形態における地図の表示の一例を示す図である。舞台位置を変更する際、変更後の舞台位置が表示中の地図上の位置でなければ、表示装置１０は、表示画面を分割して、変更前の舞台位置を含む地図と、変更後の舞台位置を含む地図との両方を表示させる。図２５において、地図７５０は、変更前の舞台位置を含む地図である。地図７５０には、変更前の舞台位置を示す舞台位置アイコン７５１が表示される。地図７６０は、変更後の舞台位置を含む地図である。この地図７６０には、変更後の舞台位置を示す舞台位置アイコン７６１が表示される。なお、表示装置１０は、表示画面内に、３つ以上の地図を表示させてもよい。
【０１９７】
［表示装置の動作例］
図２６は、本技術の第５の実施の形態における舞台位置表示更新処理の一例を示すフローチャートである。表示装置１０は、地図を更新するか否かを判断する（ステップＳ９２１）。地図を更新する場合（ステップＳ９２１：Ｙｅｓ）、表示装置１０は、表示中の地図数が、予め設定された最大表示数より少ないか否かを判断する（ステップＳ９３１）。最大表示数より少ない場合には（ステップＳ９３１：Ｙｅｓ）、表示装置１０は、更新後の舞台位置を含む地図を追加して表示させる（ステップＳ９３２）。
【０１９８】
一方、表示中の地図数が最大表示数以上である場合（ステップＳ９３１：Ｎｏ）、表示開始時刻が最も古い地図を更新する（ステップＳ９３３）。地図を更新しない場合（ステップＳ９２１：Ｎｏ）、または、ステップＳ９３２もしくはステップＳ９３３の後、表示装置１０は、更新後の舞台位置を示す舞台位置アイコンを、対応する地図上に表示させる（ステップＳ９２６）。
【０１９９】
このように、本技術の第５の実施の形態によれば、表示装置１０は、舞台位置を含む複数の地図を表示させるため、複数の地図のそれぞれに記載された地理情報（舞台位置など）をユーザに全体的に把握させることができる。
【０２００】
［変形例］
第５の実施の形態では、表示画面を分割して複数の地図を表示させていたが、限られた面積の表示画面を分割すると、それぞれの地図の表示画面上の面積は分割しない場合より小さくなってしまう。このため、表示画面を分割せずに、地図を１つだけ表示させ、別の地図に切り替える際には、ユーザの操作に従って切り替えることが望ましい。変形例の表示装置１０は、複数の地図のいずれかをユーザの操作に従って切り替えて表示させる点において第５の実施の形態と異なる。
【０２０１】
［地図の表示例］
図２７は、本技術の第５の実施の形態の変形例における地図の表示の一例を示す図である。表示画面上には、舞台位置を含む地図７７０が表示される。この地図７７０の上部には、タブ７７１および７８１が表示されている。タブ７７１は、地図７７０に切り替えるためのＧＵＩ（Graphical User Interface）部品である。タブ７８１は、舞台位置を含む地図のうち、地図７７０と異なる地図に切り替えるためのＧＵＩ部品である。タブ７７１が操作されると、表示装置１０は、地図７７０を表示させる。一方、タブ７８１が操作されると、表示装置１０は、地図７７０と異なる地図に切り替えて表示させる。なお、表示装置１０に物理的に設けられたボタンの操作など、タブ操作以外の操作により、舞台位置を含む地図を切り替える構成であってもよい。
【０２０２】
このように、変形例によれば、表示装置１０は、それぞれが舞台位置を含む複数の地図のいずれかをユーザの操作に従って切り替えて表示させるため、画面を分割する場合よりも地図を大きく表示させることができる。
【０２０３】
＜６．第６の実施の形態＞
本技術の第１の実施の形態では、表示装置１０は、地図を表示していたが、地図に航空写真を重ねて（言い換えれば、合成して）表示させてもよい。第６の実地の形態の表示装置１０は、地図および航空写真を重ねた画像を表示させる点において第１の実施の形態と異なる。
【０２０４】
［記憶部の保持データの一例］
図２８は、本技術の第６の実施の形態における記憶部１２０に保持されるデータを模式的に示す図である。第６の実施の形態の記憶部１２０には、航空写真データ１２６がさらに保持される。航空写真データ１２６は、地図に表された地形を上空から撮像して得られた画像データである。
【０２０５】
［地図の表示例］
図２９は、本技術の第６の実施の形態における地図の表示の一例を示す図である。図２９ａは、舞台位置を含む地図７９０の一例である。図２９ｂは、地図７９０に表された地形を上空から撮像して得られた航空写真８００の一例である。表示装置１０は、図２９ｃに例示するように、これらの地図７９０および航空写真８００を重ねた画像８１０を表示させる。
【０２０６】
なお、表示装置１０は、地図と、航空写真と、それらを重ねた画像とのいずれかをユーザの操作に従って、切り替えて表示させてもよい。また、表示装置１０は、地図データ１２３および航空写真データ１２６を保持しておき、それらを重ね合わせているが、地図データ１２３および航空写真データ１２６を予め重ね合わせた画像を保持しておく構成であってもよい。
【０２０７】
このように、本技術の第５の実施の形態によれば、表示装置１０は、地図および航空写真を重ねた画像を表示させるため、地図上の情報と、航空写真上の情報とをユーザに同時に把握させることができる。
【０２０８】
＜７．第７の実施の形態＞
本技術の第１の実施の形態では、表示装置１０は、コンテンツが再生されたか否かにかかわらずに同一の地図を表示させていた。しかし、コンテンツが再生されていない場合には、再生済である場合とは異なる地図を表示させた方が、表示装置１０の利便性が向上することがある。例えば、推理小説などのコンテンツにおいて、その小説が既読である（すなわち、再生されている）場合には、小説において事件が起こった現場や、その事件の説明を記載した地図を表示させると、小説の内容をユーザが思い起こすことが容易になる。一方、小説が未読である（すなわち、再生されていない）場合に、そのような地図を表示させると、小説に対するユーザの興味を削いでしまうおそれがある。第７の実施の形態の表示装置１０は、コンテンツが再生された場合と、再生されていない場合とで異なる地図を表示させる点において第１の実施の形態と異なる。
【０２０９】
［記憶部の保持データの一例］
図３０は、本技術の第７の実施の形態における記憶部１２０に保持されるデータを模式的に示す図である。第７の実施の形態の記憶部１２０は、地図データ１２３の代わりに、未読地図データ１２７および既読地図データ１２８と再生履歴情報２１０とが保持される点において第１の実施の形態と異なる。
【０２１０】
未読地図データ１２７は、コンテンツが再生されていない場合に表示される地図データである。既読地図データ１２８は、コンテンツが再生されていた場合に表示される地図データである。また、再生履歴情報２１０は、コンテンツが再生されたか否かを示す情報を含むデータである。
【０２１１】
図３１は、本技術の第７の実施の形態の記憶部１２０に保持される再生履歴情報２１０の一例を示す図である。再生履歴情報２１０は、コンテンツファイル名２１１ごとに、コンテンツ種別２１２、既読回数２１３および最大既読位置２１４を含むデータである。
【０２１２】
コンテンツファイル名２１１は、コンテンツを格納するファイルの名称である。コンテンツ種別２１２は、コンテンツのデータの種類を示す情報である。既読回数２１３は、コンテンツが特定の再生位置（例えば、最後の再生位置）まで再生された回数である。既読回数が「０」回であれば、コンテンツは再生されていないと判断され、「０」回より多ければ、コンテンツが再生されていると判断される。最大既読位置２１４は、再生された再生位置のうち、最後の再生位置に最も近い位置である。既読回数２１３は、例えば、複数のコンテンツの各々の名称を既読回数２１３の多い順にソートして一覧表示させるために用いられる。
【０２１３】
例えば、コンテンツファイル名称「Scenario.1.txt」のコンテンツが、６４ページの５２行目まで再生されており、最後までは再生されていない場合を考える。この場合には、再生履歴情報において、既読回数として「０」回が保持され、最大既読位置として「Ｐ６４Ｓ５２」が保持される。
【０２１４】
なお、再生履歴情報２１０の構成は、図３１に例示された構成に限定されない。例えば、再生履歴情報２１０は、コンテンツごとに、そのコンテンツが再生されたか否かを示すフラグのみを含む情報であってもよい。
【０２１５】
［制御部の機能構成例］
図３２は、本技術の第７の実施の形態における制御部１５０の機能構成の一例を示すブロック図である。第７の実施の形態の制御部１５０は、再生履歴情報取得部１５３をさらに備える点において第１の実施の形態と異なる。
【０２１６】
再生履歴情報取得部１５３は、再生履歴情報を取得するものである。この再生履歴情報取得部１５３は、コンテンツの再生を指示する操作信号を操作部１１０から受け取ると、そのコンテンツに対応する再生履歴情報を記憶部１２０から読み出す。そして、再生履歴情報取得部１５３は、読み出した再生履歴情報を表示制御部１５１に供給する。
【０２１７】
第７の実施の形態の表示制御部１５１は、再生履歴情報に基づいてコンテンツが再生されたか否かを判断し、再生されていた場合には既読地図データ１２８を表示させる。一方、コンテンツが再生されていない場合には、表示制御部１５１は、未読地図データ１２７を表示させる。また、表示制御部１５１は、コンテンツを再生するたびに、再生履歴情報を更新する。
【０２１８】
［表示装置の動作例］
図３３は、本技術の第７の実施の形態における表示装置１０によりシナリオ表示および舞台表示が行われる際の処理手順例を示すフローチャートである。第７の実施の形態の処理手順は、ステップＳ９４１乃至Ｓ９４３をさらに実行し、ステップＳ９０８の代わりにステップＳ９４４を実行する点において第１の実施の形態と異なる。
【０２１９】
表示装置１０は、シナリオデータの再生を開始し（ステップＳ９０３）、再生履歴情報に基づいて、そのシナリオが既読であるか否かを判断する（ステップＳ９４１）。シナリオが既読である場合には（ステップＳ９４１：Ｙｅｓ）、表示装置１０は、既読地図データ１２８を表示させる（ステップＳ９４２）。一方、シナリオが未読である場合には（ステップＳ９４１：Ｎｏ）、表示装置１０は、未読地図データ１２７を表示させる（ステップＳ９４３）。また、シナリオデータを最後まで再生したのであれば（ステップＳ９０７：Ｙｅｓ）、表示装置１０は、再生履歴情報２１０を更新する。具体的には、表示装置１０は、再生履歴情報２１０において、再生したシナリオデータの既読回数２１３を増加させる（ステップＳ９４４）。ステップＳ９４４の後、表示装置１０は、処理手順を終了する。
【０２２０】
このように、本技術の第７の実施の形態によれば、表示装置１０は、コンテンツが再生されたか否かにより、異なる地図を表示させるため、表示装置１０の利便性を向上させることができる。
【０２２１】
＜８．第８の実施の形態＞
本技術の第２の実施の形態では、ＰＯＩ情報の表示を開始するときの舞台位置アイコンとＰＯＩ情報アイコンとの間の設定距離を一定としていた。しかし、コンテンツが再生されていた場合には、再生されていない場合よりも設定距離を長くした方が、利便性が向上する。第８の実施の形態の表示装置１０は、コンテンツが再生されていた場合には、再生されていない場合よりも設定距離を長くする点において第２の実施の形態と異なる。
【０２２２】
［記憶部の保持データの一例］
図３４は、本技術の第８の実施の形態における記憶部１２０に保持されるデータを模式的に示す図である。第８の実施の形態の記憶部１２０は、再生履歴情報２１０をさらに保持する点において第２の実施の形態と異なる。
【０２２３】
［制御部の機能構成例］
図３５は、本技術の第８の実施の形態における制御部１５０の機能構成の一例を示すブロック図である。第８の実施の形態の制御部１５０は、再生履歴情報取得部１５３および距離設定部１５４をさらに備える点において第２の実施の形態と異なる。第８の実施の形態の再生履歴情報取得部１５３は、操作信号に従って再生履歴情報を取得し、距離設定部１５４に供給する。
【０２２４】
距離設定部１５４は、再生履歴情報に基づいて設定距離を設定するものである。距離設定部１５４は、再生履歴情報に基づいて、コンテンツが再生されたか否かを判断し、コンテンツが再生されていた場合には、再生されていない場合よりも長い設定距離を設定する。一方、コンテンツが再生されていない場合には、距離設定部１５４は、再生されていた場合よりも短い設定距離を設定する。距離設定部１５４は、設定した設定距離を表示制御部１５１に供給する。
【０２２５】
図３６は、本技術の第８の実施の形態の効果の一例を模式的に示す図である。図３６ａは、舞台位置アイコン４６１が、ＰＯＩ情報アイコン４６２から設定距離内にない場合における表示画面４６０の一例である。図３６ｂは、舞台位置アイコン４９１がＰＯＩ情報アイコン４６２から設定距離内にあり、かつ、コンテンツが既読である場合における表示画面４９０の一例である。この場合には、ＰＯＩ情報４９４が表示される。
【０２２６】
図３６ｃは、舞台位置アイコン４７１が、ＰＯＩ情報アイコン４６２から設定距離内にあり、かつ、コンテンツが未読である場合における表示画面４７０の一例である。ぜんっ述したように、未読時には、既読時よりも短い設定距離が設定される。このため、図３６ｃに示すように、舞台位置アイコン４７１が、ＰＯＩ情報アイコン４６２に既読時よりも近い位置に近づいたときに、ＰＯＩ情報４７４が表示される。未読時には、ユーザは、コンテンツの内容に集中しており、既読時ほどＰＯＩ情報を必要としないことが多い。一方、既読時には、ユーザは、舞台位置の周囲の付加的な情報（ＰＯＩ情報など）に関心を持つことが多い。このため、既読時には、未読時よりも設定距離を長くすることにより、ＰＯＩ情報が表示されやすくなり、利便性が向上する。
【０２２７】
［表示装置の動作例］
図３７は、本技術の第８の実施の形態における表示装置１０によりシナリオ表示および舞台表示が行われる際の処理手順例を示すフローチャートである。第８の実施の形態の処理手順は、ステップＳ９５０およびステップＳ９４４をさらに実行する点において第２の実施の形態と異なる。表示部１０は、ステップＳ９０３およびＳ９０３の間において、距離設定処理（ステップＳ９５０）を実行する。また、シナリオデータを最後まで再生したのであれば（ステップＳ９０７：Ｙｅｓ）、表示装置１０は、再生履歴情報２１０を更新する（ステップＳ９４４）。
【０２２８】
図３８は、本技術の第８の実施の距離設定処理の一例を示すフローチャートである。表示装置１０は、再生履歴情報に基づいてシナリオが既読であるか否かを判断する（ステップＳ９５１）。シナリオが既読である場合には（ステップＳ９５１：Ｙｅｓ）、表示装置１０は、所定の距離ＤＡを設定距離に設定する（ステップＳ９５２）。一方、シナリオが未読である場合には（ステップＳ９５１：Ｎｏ）、表示装置１０は、ＤＡより短い距離ＤＢを設定距離に設定する（ステップＳ９５３）。ステップＳ９５２またはＳ９５２の後、表示装置１０は、距離設定処理を終了する。
【０２２９】
このように、本技術の第８の実施の形態によれば、表示装置１０は、コンテンツが再生されていた場合には、再生されていない場合よりも設定距離を長くすることにより、表示装置１０の利便性を向上させることができる。
【０２３０】
＜９．第９の実施の形態＞
本技術の第１の実施の形態では、舞台位置の背景となる日時を表示していなかったが、そのような日時をさらに表示してもよい。第９の実施の形態の表示装置１０は、舞台位置の背景となる日時を表示する点において第１の実施の形態と異なる。
【０２３１】
［記憶部の保持データの一例］
図３９は、本技術の第９の実施の形態の記憶部１２０に保持される位置情報リンクデータに格納される情報の一例を模式的に示す図である。第９の実施の形態の位置情報リンクデータにおいて、舞台位置情報に日時情報２４０がさらに関連付けられる。日時情報２４０は、コンテンツ内において舞台位置の背景となる日時を示す情報である。例えば、「鶴岡八幡宮」の舞台位置の背景となる日時が、２０１０年５月１日である場合、その舞台位置に「２０１０／５／１」の日時情報２４０が関連付けられる。
【０２３２】
［日時の表示例］
図４０は、本技術の第９の実施の形態の日時の表示の一例を示す図である。図４０に例示するように、舞台位置８２１が選択されると、表示装置１０は、その選択された舞台位置に関連付けられた日時８２２を位置情報リンクデータから取得し、表示させる。さらに、舞台位置８２３が選択されると、表示装置１０は、その舞台位置に対応する日時８２４を位置情報リンクデータから取得して表示させる。選択された舞台位置８２３の日時を表示させることにより、ユーザは、舞台位置８２３に関するコンテンツの内容を確認しなくとも、その舞台位置８２３の背景となる日時を視認することができる。このため、利便性がさらに向上する。
【０２３３】
図４１は、本技術の第９の実施の形態における表示装置１０によりシナリオ表示および舞台表示が行われる際の処理手順例を示すフローチャートである。第９の実施の形態の処理手順は、表示装置１０がステップＳ９６１およびＳ９６２をさらに実行する点において第１の実施の形態と異なる。
【０２３４】
表示装置１０は、舞台位置表示を更新し（ステップＳ９０６）、ユーザが、表示中の舞台位置を選択したか否かを判断する（ステップＳ９６１）。ユーザが舞台位置が選択した場合（ステップＳ９６１：Ｙｅｓ）、表示装置１０は、選択された舞台位置に関連する日時を位置情報リンクデータから取得して表示させる（ステップＳ９６２）。一方、ユーザが舞台位置が選択していない場合（ステップＳ９６１：Ｎｏ）、または、ステップＳ９６２の後、表示装置１０は、ステップＳ９０７を実行する。なお、表示装置１０は、ステップＳ９６１およびＳ９６２をシナリオデータの再生中に実行しているが、シナリオデータの再生開始前や再生終了後に実行してもよい。
【０２３５】
このように、本技術の第８の実施の形態によれば、表示装置１０は、選択された舞台位置に関連付けられた日時を表示させるため、舞台位置に関連する日時をユーザに容易に把握させることができる。これにより、利便性が向上する。
【０２３６】
［変形例］
本技術の第９の実施の形態では、表示装置１０は、ユーザが選択した舞台位置の日時を表示させていた。しかし、基準とする基準日時（現在日時など）を取得して、その基準日時に近い日時に関連する舞台位置を表示させてもよい。第９の実施の形態の変形例の表示装置１０は、基準日時に近い日時に関連する舞台位置を表示させる点において第９の実施の形態と異なる。
【０２３７】
［舞台位置の表示例］
図４２は、本技術の第９の実施の形態の変形例における舞台位置の表示の一例を模式的に示す図である。表示装置１０は、コンテンツの再生が指示されると、基準日時を取得する。この基準日時は、表示装置１０が取得した現在日時や、ユーザにより表示装置１０に入力された日時などである。表示装置１０は、基準日時から一定期間内の日時（言い換えれば、基準日時に近い日時）に対応する舞台位置を位置情報リンクデータにおいて探索する。ここで、基準日時から一定期間内の日時に対応する舞台位置が２つあった場合を考える。この場合、表示装置１０は、探索した舞台位置に対応する地図を画面８３０に表示し、それらの舞台位置を示す舞台位置アイコン８３１および８３２を地図上に表示する。また、画面８４０において、基準日時と、探索した舞台位置の日時８３３および８３４とを表示する。なお、表示装置１０は、探索した舞台位置を地図上に表示しているが、それらの舞台位置の名称のみを表示してもよい。
【０２３８】
［表示装置の動作例］
図４３は、本技術の第９の実施の形態の変形例における表示装置１０によりシナリオ表示および舞台表示が行われる際の処理手順例を示すフローチャートである。第９の実施の形態の処理手順は、表示装置１０がステップＳ９６３、Ｓ９６４およびＳ９６５をさらに実行する点において第１の実施の形態と異なる。
【０２３９】
表示装置１０は、基準日時を取得する（ステップＳ９６３）。表示装置１０は、基準日時に近い日時に対応する舞台位置が位置情報リンクデータ内にあるか否かを判断する（ステップＳ９６４）。対応する舞台位置がある場合には（ステップＳ９６４：Ｙｅｓ）、その舞台位置を表示する（ステップＳ９６５）。一方、対応する舞台位置がない場合には（ステップＳ９６４：Ｎｏ）、または、ステップＳ９６５の後、表示装置１０は、表示させた舞台位置またはシナリオデータを選択する操作を受け付ける。そして、表示装置１０は、選択された舞台位置に対応するシナリオデータ、または、選択されたシナリオデータの読み込みを行う（ステップＳ９０１）。
【０２４０】
なお、ステップＳ９６５において、表示装置１０は、舞台位置のみを表示しているが、舞台位置とともに、その舞台位置に対応するシナリオデータの名称を表示してもよい。また、表示装置１０は、ステップＳ９６３乃至Ｓ９６５の処理をシナリオデータの再生前に実行しているが、シナリオデータの再生中や再生終了後に実行してもよい。
【０２４１】
このように、本技術の第９の実施の形態の変形例によれば、表示装置１０は、基準日時から一定期間内の日時に関連する舞台位置を表示させるため、それらの舞台位置に対してユーザに興味を持たせることができる。
【０２４２】
＜１０．第１０の実施の形態＞
本技術の第１の実施の形態では、表示装置１０は、特定の基準位置（表示装置１０の存在する位置など）からの距離にかかわらずに、舞台位置を表示していた。しかし、基準位置に最も近い最寄りの舞台位置を探索して表示させることにより、ユーザは、訪れることが容易な舞台位置を把握することができる。これにより、利便性がさらに向上する。第１０の実施の形態の表示装置１０は、最寄りの舞台位置を探索して表示させる点において第１の実施の形態と異なる。
【０２４３】
［制御部の機能構成例］
図４４は、本技術の第１０の実施の形態における制御部１５０の機能構成の一例を示すブロック図である。第１０の実施の形態の制御部１５０は、コスト取得部１５５をさらに備える点において第１の実施の形態と異なる。
【０２４４】
第１０の実施の形態のリンク情報取得部１５２は、位置情報リンクデータを表示制御部１５１のほか、コスト取得部１５５へも供給する。コスト取得部１５５は、特定の基準位置から舞台位置までの移動に要するコストを取得するものである。ここで、基準位置は、コスト取得において基準とされる位置であり、例えば、表示装置１０の存在する位置や、ユーザにより表示装置１０に入力された位置である。また、コストは、移動において発生する費用や手間であり、距離、時間、または、料金などにより表される。
【０２４５】
コスト取得部１５５は、基準位置を指定する操作信号が入力されると、位置情報リンクデータから舞台位置を取得し、基準位置から舞台位置への移動に要するコストを舞台位置ごとに求める。例えば、基準位置と舞台位置との間の直線距離がコストとして求められる。コスト取得部１５５は、舞台位置ごとに取得したコストを表示制御部１５１へ供給する。
【０２４６】
第１０の実施の形態の表示制御部１５１は、シナリオデータを再生開始前において、コストが最も小さい（言い換えれば、最も近い）舞台位置を地図上に表示させる。
【０２４７】
図４５は、本技術の第１０の実施の形態の舞台位置の表示の一例を模式的に示す図である。コンテンツの再生開始前において、表示装置１０は、図４５ａに例示するように、基準位置の入力を促すメッセージを画面８５０に表示する。スタイラスによるタッチ操作などにより基準位置が入力されると、表示装置１０は、図４５ｂに示すように、入力された基準位置に最も近い舞台位置を示す舞台位置アイコン８６１を画面８６０上に表示する。また、画面８６０には、入力された基準位置を示す基準位置アイコン８６１と、最寄りの舞台位置の名称を含むメッセージとが表示される。なお、表示装置１０は、舞台位置アイコン８６１と、舞台位置の名称とのいずれか一方のみを表示してもよい。
【０２４８】
図４６は、本技術の第１０の実施の形態における表示装置１０によりシナリオ表示および舞台表示が行われる際の処理手順例を示すフローチャートである。第１０の実施の形態の処理手順は、表示装置１０がステップＳ９１０およびＳ９７０をさらに実行する点において第１の実施の形態と異なる。
【０２４９】
［表示装置の動作例］
表示装置１０は、基準位置を取得する（ステップＳ９１０）。そして、表示装置１０は、基準位置に最も近い舞台位置を探索するための最寄舞台位置探索処理を実行する（ステップＳ９７０）。ステップＳ９７０の後、表示装置１０は、最寄りの舞台位置に対応するシナリオデータ、または、別のシナリオデータの選択操作を受け付ける。いずれかのシナリオデータが選択されると、表示装置１０は、そのシナリオデータの読み込みを行う（ステップＳ９０１）。なお、表示装置１０は、ステップＳ９１０およびＳ９７０をシナリオデータの再生開始前に実行しているが、再生中や再生終了後に実行してもよい。
【０２５０】
図４７は、本技術の第１０の実施の形態における最寄舞台位置探索処理の一例を示すフローチャートである。表示装置１０は、最短距離Ｄｓに最大値Ｍａｘを設定する（ステップＳ９６７１）。ここで、最短距離Ｄｓは、基準位置と舞台位置との間の直線距離の最小値を示す変数である。最大値Ｍａｘは、最短距離Ｄｓがとりうる値の中の最大値を示す固定値である。
【０２５１】
表示装置１０は、いずれかのシナリオデータの位置情報リンクデータを読み込み（ステップＳ９７２）、そのシナリオデータ内のいずれかの舞台位置の位置情報を取得する（ステップＳ９７３）。そして、表示装置１０は、基準位置と舞台位置との間の直線距離Ｄｂを算出する（ステップＳ９７４）。
【０２５２】
表示装置１０は、直線距離Ｄｂが最短距離Ｄｓより短いか否かを判断する（ステップＳ９７５）。直線距離Ｄｂが最短距離Ｄｓより短い場合には（ステップＳ９７５：Ｙｅｓ）、表示装置１０は、直線距離Ｄｂにより最短距離Ｄｓを更新する。また、最短距離Ｄｓが算出された舞台位置の位置情報や名称などを保持する（ステップＳ９７６）。直線距離Ｄｂが最短距離Ｄｓより短くない場合（ステップＳ９７５：Ｎｏ）、または、ステップＳ９７６の後、表示装置１０は、シナリオデータ内の全ての舞台位置を探索したか否かを判断する（ステップＳ９７７）。
【０２５３】
舞台位置のいずれかが未探索である場合（ステップＳ９７７：Ｎｏ）、表示装置１０は、ステップＳ９７３に戻る。一方、全ての舞台位置を探索した場合（ステップＳ９７７：Ｙｅｓ）、表示装置１０は、全てのシナリオデータを探索したか否かを判断する（ステップＳ９７８）。シナリオデータのいずれかが未探索である場合（ステップＳ９７８：Ｎｏ）、表示装置１０は、ステップＳ９７２に戻る。一方、全てのシナリオデータを探索した場合（ステップＳ９７８：Ｙｅｓ）、表示装置１０は、最短距離Ｄｓの舞台位置を表示する（ステップＳ９７９）。ステップＳ９７９の後、表示装置１０は、最寄舞台位置探索処理を終了する。なお、ステップＳ９７９において、表示装置１０は、最寄りの舞台位置とともに、その舞台位置に対応するシナリオデータの名称をさらに表示してもよい。
【０２５４】
このように、本技術の第１０の実施の形態によれば、表示装置１０は、基準位置からの直線距離が最も短い舞台位置を表示させるため、ユーザは、最寄りの舞台位置を容易に求めることができる。これにより、利便性がさらに向上する。
【０２５５】
［第１の変形例］
第１０の実施の形態では、表示装置１０は、直線距離をコストとして算出していたが、地形が平坦でない場合や、ユーザが交通ネットワークを介して移動する場合には、直線距離が、実際のコストと一致しない場合がある。第１の変形例の表示装置１０は、交通ネットワーク上の経路探索により、正確なコストを算出する点において第１０の実施の形態と異なる。
【０２５６】
［記憶部の保持データの一例］
図４８は、本技術の第１０の実施の形態の第１の変形例における記憶部１２０に保持される位置情報リンクデータに格納される情報の一例を模式的に示す図である。第１の変形例の記憶部１２０には、ルート検索プログラム２２０がさらに保持される。
【０２５７】
ルート検索プログラム２２０は、基準位置と舞台位置とを結ぶ交通ネットワーク上の経路のうち、最もコストが小さい最短経路を探索するためのプログラムである。最短経路の探索においては、例えば、ダイクストラアルゴリズムが用いられる。なお、ルート検索プログラム２２０は、通信ネットワークにより表示装置１０と接続されたルート検索サーバーが保持する構成であってもよい。この場合には、表示装置１０は、基準位置および舞台位置をルート検索サーバーに送信し、ルート検索サーバーが受信した位置間のコストを求めて表示装置１０へ送信する。
【０２５８】
図４９は、本技術の第１０の実施の形態の第１の変形例におけるコストの算出方法の一例を示す図である。基準位置Ｐｓと舞台位置Ｐａとの間に建物などの障害物がある場合を考える。この場合には、ユーザは、障害物を迂回する経路（道路など）を介して基準位置Ｐｓから舞台位置Ｐａへ移動する必要がある。図４７における一点鎖線は、障害物を迂回する経路の一例である。このような場合には、直線距離は、実際のコストと一致しない。そこで、第１の変形例の表示装置１０は、交通ネットワーク上の経路を探索して、最小のコストを正確に算出している。
【０２５９】
［表示装置の動作例］
図５０は、本技術の第１０の実施の形態の第１の変形例における最寄舞台位置探索処理の一例を示すフローチャートである。第１の変形例の最寄舞台位置探索処理は、ステップＳ９７１、Ｓ９７４乃至Ｓ９７６およびＳ９７９の代わりにＳ９８０乃至Ｓ９８４を実行する点において第１０の実施の形態と異なる。
【０２６０】
表示装置１０は、最小コストＣｍに最大値Ｍａｘ'を設定し（ステップＳ９８０）、ステップＳ９７２を実行する。ここで、最小コストＣｍは、基準位置と舞台位置との間のコストの最小値を示す変数である。最大値Ｍａｘ'は、最小コストＣｍがとりうる値の中の最大値を示す固定値である。
【０２６１】
表示装置１０は、ステップＳ９７３の後、ルート検索プログラム２２０を実行して、基準位置と舞台位置との間の最短経路を探索し、その最短経路の移動コストＣｂを算出する（ステップＳ９８１）。表示装置１０は、移動コストＣｂが最小コストＣｍより小さいか否かを判断する（ステップＳ９８２）。移動コストＣｂが最小コストＣｍより小さい場合には（ステップＳ９８２：Ｙｅｓ）、表示装置１０は、移動コストＣｂにより最小コストＣｍを更新する。また、最小コストＣｍが算出された舞台位置の位置情報や名称などを保持する（ステップＳ９８３）。移動コストＣｂが最小コストＣｍ以上である場合（ステップＳ９８２：Ｎｏ）、または、ステップＳ９８３の後、表示装置１０は、ステップＳ９７７を実行する。
【０２６２】
また、全てのシナリオデータを探索した場合には（ステップＳ９７８：Ｙｅｓ）、表示装置１０は、コストが最小の舞台位置を表示する（ステップＳ９８４）。
【０２６３】
このように、本技術の第１の変形例によれば、表示装置１０は、交通ネットワーク上の経路のコストを算出するため、直線距離を算出する場合よりも正確なコストを求めることができる。
【０２６４】
［第２の変形例］
第１０の実施の形態では、表示装置１０は、舞台位置の重要性にかかわらずに、コストを求めていた。しかし、表示装置１０は、舞台位置の重要度に応じてコストに重み付けを行ってもよい。第２の変形例の表示装置１０は、舞台位置ごとに設定された重み係数によりコストに重み付けを行う点において第１０の実施の形態と異なる。
【０２６５】
図５１は、本技術の第１０の実施の形態の第２の変形例における重み係数の設定方法の一例を示す図である。図５１において、Ｐｓは、基準位置であり、Ｐａ乃至Ｐｈは、舞台位置を示す。基準位置Ｐｓから舞台位置Ｐａ乃至Ｐｈのそれぞれへの点線の長さは、直線距離の長さを示す。点線上に付された数値は、重み係数である。そして、舞台位置Ｐａは、最初の再生位置に対応する舞台位置であり、舞台位置Ｐｈは、最後の再生位置に対応する舞台位置であるものとする。
【０２６６】
表示装置１０は、舞台位置が最初または最後の再生位置における舞台位置であれば、そうでない舞台位置よりも小さな重み係数（例えば、０．５）を設定する。一方、舞台位置が、途中の再生位置における舞台位置であれば、表示装置１０は、大きな重み係数（例えば、１．０）を設定する。そして、表示装置１０は、設定した重み係数によりコストを重み付けして、最小のコストに対応する舞台位置を求める。最初または最後の再生位置の舞台位置はシナリオにおいて重要性が高いことが多いため、それらの舞台位置の重み係数を小さくすることにより、重要性の高い舞台位置が優先的に探索される。
【０２６７】
位置情報リンクデータにおいて、予め、再生位置の順に舞台位置をソートしておけば、表示装置１０は、最初および最後の再生位置に対応する舞台位置を容易に取得することができる。このため、位置情報リンクデータ内に重要度や重み係数を記載する必要はない。なお、途中の再生位置に対応する舞台位置であっても、シナリオ上重要性が高いこともある。その場合には、図５２に例示するように、位置情報リンクデータにおいて、重要度を示す情報２４１を舞台位置に対応付けて記載しておけばよい。また、位置情報リンクデータにおいて、舞台位置ごとに予め設定した重み係数を記載しておいてもよい。
【０２６８】
［表示装置の動作例］
図５３は、本技術の第１０の実施の形態の第２の変形例における最寄舞台位置探索処理の一例を示すフローチャートである。第２の変形例の最寄舞台位置探索処理は、ステップＳ９７５およびＳ９７６の代わりにステップＳ９８５およびＳ９８６を実行する点において第１０の実施の形態と異なる。
【０２６９】
表示装置１０は、直線距離Ｄｂを算出した後（ステップＳ９７４）、舞台位置に対応する重み係数で重み付けした直線距離Ｄｂ'を算出する（ステップＳ９８５）。表示装置１０は、その直線距離Ｄｂ'が最短距離Ｄｓより短いか否かを判断する（ステップＳ９８６）。表示装置１０は、直線距離Ｄｂ'が最短距離Ｄｓより短い場合（ステップＳ９８６：Ｙｅｓ）にはステップＳ９７６を実行し、そうでない場合（ステップＳ９８６：Ｎｏ）またはステップＳ９７６の後にステップＳ９７７を実行する。
【０２７０】
このように、本技術の第２の変形例によれば、表示装置１０は、舞台位置ごとに設定された重み係数により重み付したコストを求めるため、重み係数の小さい舞台位置を優先的に探索することができる。これにより、重要度が高いほど小さな重み係数を設定しておけば、重要度の高い舞台位置が優先的に探索される。
【０２７１】
［第３の変形例］
本技術の第１０の実施の形態では、表示装置１０は、舞台位置の日時にかかわらずにコストを求めていた。しかし、基準日時と、舞台位置に関連する日時との間の期間の長さに応じてコストに重み付けを行ってもよい。第３の変形例の表示装置１０は、基準日時と、舞台位置に関連する日時との間の期間の長さに応じてコストに重み付けを行う点において第１０の実施の形態と異なる。
【０２７２】
［表示装置の動作例］
図５４は、本技術の第１０の実施の形態の第３の変形例における表示装置１０によりシナリオ表示および舞台表示が行われる際の処理手順例を示すフローチャートである。第３の変形例の処理手順は、表示装置１０がステップＳ９６３をさらに実行する点において第１０の実施の形態と異なる。
【０２７３】
表示装置１０は、基準位置を取得し（ステップＳ９１０）、また、基準日時を取得する（ステップＳ９６３）。そして、表示装置１０は、最寄舞台位置探索処理を実行する（ステップＳ９７０）。
【０２７４】
図５５は、本技術の第１０の実施の形態の第３の変形例における最寄舞台位置探索処理の一例を示すフローチャートである。第３の変形例の最寄舞台位置探索処理は、ステップＳ９８７をさらに実行する点において第２の変形例と異なる。表示装置１０は、直線距離Ｄｂを算出し（ステップＳ９７４）、舞台位置に関連する日時と基準日時との間の期間の長さに応じて重み係数を設定する。例えば、表示装置１０は、期間が短いほど、小さな重み係数を設定する（ステップＳ９８７）。そして、表示装置１０は、その重み係数により重み付けした直線距離Ｄｂ'を算出する（ステップＳ９８５）。
【０２７５】
このように、本技術の第３の変形例によれば、表示装置１０は、基準日時からの期間の長さに応じて重み付けしたコストを求めるため、基準位置からの期間の長さに基づいて舞台位置を探索することができる。
【０２７６】
［第４の変形例］
本技術の第１０の実施の形態では、表示装置１０は、全ての舞台位置のコストを求め、それらを比較して最小のコストを求めていた。しかし、より効率的に最小のコストを求めることもできる。具体的には、表示装置１０は、コンテンツごとに、そのコンテンツ内の全ての舞台位置を囲む一定形状の領域の頂点の位置を代表位置として保持しておき、基準位置から代表位置へのコスト（以下、「代表コスト」と称する。）をコンテンツごとに求める。そして、表示装置１０は、代表コストが比較的低いコンテンツにおいて全ての舞台位置のコストを個別に求め、その中から最小のコストを求めればよい。これにより、表示装置１０は、代表コストが比較的大きなコンテンツについては、全ての舞台位置のコストを求めなくてもよいため、効率的に最小のコストを求めることができる。第４の変形例の表示装置１０は、代表コストに基づいて選択したコンテンツにおいて舞台位置ごとにコストを求める点において第１０の実施の形態と異なる。
【０２７７】
［記憶部の保持データの一例］
図５６は、本技術の第１０の実施の形態の第４の変形例における記憶部１２０に保持される位置情報リンクデータに格納される情報の一例を模式的に示す図である。第４の変形例の位置情報リンクデータには、代表位置の位置情報として、北西端点位置情報２４２および南東端点位置情報２４３がさらに記載される。北西端点位置情報２４２は、コンテンツ内の全ての舞台位置を囲む矩形状の領域における北西端点の位置情報であり、南東端点位置情報２４３は、その領域における南東端点の位置情報である。
【０２７８】
図５７は、本技術の第１０の実施の形態の第４の変形例における代表位置の一例を示す図である。地図８７０には、あるシナリオデータ内の舞台位置８７２、８７３および８７４が含まれる。これらの舞台位置の全てを囲む矩形の舞台領域８７１の北西端点、北東端点、南東端点および南西端点が代表位置として用いられる。これらのうち、北東端点および南西端点の座標は、北西端点および南東端点から求めることができるため、位置情報リンクデータには、北西端点（舞台位置８７２）および南東端点（舞台位置８７４）の位置情報が代表位置の位置情報として記載される。なお、舞台位置を囲む領域の形状は矩形に限定されず、６角形などであってもよい。
【０２７９】
［表示装置の動作例］
図５８は、本技術の第１０の実施の形態の第４の変形例における最寄舞台位置探索処理の一例を示すフローチャートである。第４の変形例の最寄舞台位置探索処理は、ステップＳ９８８およびＳ９８９をさらに実行する点において第１０の実施の形態と異なる。
【０２８０】
表示装置１０は、いずれかのシナリオデータの位置情報リンクデータを読み込み（ステップＳ９７２）、４つの代表位置を取得し、基準位置と代表位置の各々との直線距離Ｄｃ１乃至Ｄｃ４のうち最小値を代表距離Ｄｒ（すなわち、代表コスト）として算出する（ステップＳ９８８）。表示装置１０は、代表距離Ｄｒが最短距離Ｄｓより長いか否かを判断する（ステップＳ９８９）。代表距離Ｄｒが最短距離Ｄｓより長い場合には（ステップＳ９８９：Ｙｅｓ）、表示装置１０は、全てのシナリオデータを探索したか否かを判断する（ステップＳ９７８）。一方、代表距離Ｄｒが最短距離Ｄｓより長くない場合には（ステップＳ９８９：Ｎｏ）、表示装置１０は、シナリオデータ内のいずれかの舞台位置の位置情報を取得する（ステップＳ９７３）。なお、ステップＳ９８９において、表示装置１０は、あるコンテンツの最短距離Ｄｓと、別のコンテンツにおける代表距離Ｄｒとを比較しているが、この構成に限定されない。例えば、表示装置１０は、全てのコンテンツの代表距離の中から最短の代表距離を求め、その最短の代表距離が得られたコンテンツにおいて個別に舞台位置ごとの直線距離を求めてもよい。
【０２８１】
このように、本技術の第１０の実施の形態の第４の変形例によれば、代表コストに基づいて選択したコンテンツにおいて舞台位置ごとにコストを求めることにより、効率的にコストが最小の舞台位置を求めることができる。これにより、最寄りの舞台位置を探索する時間が短縮される。
【０２８２】
＜１１．第１１の実施の形態＞
本技術の第１の実施の形態では、表示装置１０は、特定の基準位置（表示装置１０の存在する位置など）からの距離にかかわらずに、舞台位置を表示していた。しかし、基準位置から一定距離内の舞台位置を探索して表示させることにより、ユーザは、訪れることが容易な舞台位置を把握することができる。これにより、利便性がさらに向上する。第１１の実施の形態の表示装置１０は、基準位置から一定距離内の舞台位置を探索して表示させる点において第１の実施の形態と異なる。
【０２８３】
［表示装置の動作例］
図５９は、本技術の第１１の実施の形態における表示装置１０によりシナリオ表示および舞台表示が行われる際の処理手順例を示すフローチャートである。第１１の実施の形態の処理手順は、表示装置１０がステップＳ９１０およびＳ９９０をさらに実行する点において第１の実施の形態と異なる。
【０２８４】
表示装置１０は、基準位置を取得し（ステップＳ９１０）、基準位置から一定距離内の舞台位置を探索する一定距離内舞台位置探索処理を実行する（ステップＳ９９０）。表示装置１０は、一定距離内の舞台位置のいずれかがユーザにより再生対象として選択されると、選択された舞台位置に対応するシナリオデータの位置情報リンクデータの読み込みを行う（ステップＳ９０２）。なお、表示装置１０は、ステップＳ９１０およびＳ９９０をシナリオデータの再生開始前に実行しているが、再生中や再生終了後に実行してもよい。
【０２８５】
図６０は、本技術の第１１の実施の形態における一定距離内舞台位置探索処理の一例を示すフローチャートである。表示装置１０は、いずれかのシナリオデータの位置情報リンクデータを読み込み（ステップＳ９７２）、そのシナリオデータ内のいずれかの舞台位置の位置情報を取得する（ステップＳ９７３）。そして、表示装置１０は、基準位置と舞台位置との間の直線距離Ｄｂを算出する（ステップＳ９７４）。
【０２８６】
表示装置１０は、直線距離Ｄｂが一定の探索距離Ｄｄ１より短いか否かを判断する（ステップＳ９９１）。直線距離Ｄｂが探索距離Ｄｄ１より短い場合には（ステップＳ９９１：Ｙｅｓ）、表示装置１０は、直線距離Ｄｂが算出された舞台位置を保持する（ステップＳ９９２）。直線距離Ｄｂが探索距離Ｄｄ１より短くない場合（ステップＳ９９１：Ｎｏ）、または、ステップＳ９９２の後、表示装置１０は、シナリオデータ内の全ての舞台位置を探索したか否かを判断する（ステップＳ９７７）。
【０２８７】
舞台位置のいずれかが未探索である場合（ステップＳ９７７：Ｎｏ）、表示装置１０は、ステップＳ９７３に戻る。一方、全ての舞台位置を探索した場合（ステップＳ９７７：Ｙｅｓ）、表示装置１０は、全てのシナリオデータを探索したか否かを判断する（ステップＳ９７８）。シナリオデータのいずれかが未探索である場合（ステップＳ９７８：Ｎｏ）、表示装置１０は、ステップＳ９７２に戻る。一方、全てのシナリオデータを探索した場合（ステップＳ９７８：Ｙｅｓ）、表示装置１０は、一定距離内の舞台位置のそれぞれを一覧表示する（ステップＳ９９３）。ステップＳ９９３の後、表示装置１０は、一定距離内舞台位置探索処理を終了する。なお、ステップＳ９９３において、表示装置１０は、一定距離内の舞台位置とともに、それらの舞台位置に対応するシナリオデータの名称をさらに表示してもよい。
【０２８８】
このように、本技術の第１１の実施の形態によれば、表示装置１０は、基準位置から一定距離内の舞台位置を表示させるため、ユーザは、訪れやすい舞台位置を容易に求めることができる。これにより、利便性がさらに向上する。
【０２８９】
［変形例］
本技術の第１１の実施の形態では、表示装置１０は、基準位置を取得し、一定距離内の舞台位置を探索した後に基準位置が新たに取得されても、舞台位置を再度探索していなかった。しかし、基準位置が新たに取得された場合には、最新の基準位置に基づいて、一定距離内の舞台位置を再度探索することが望ましい。変形例の表示装置１０は、基準位置が新たに取得されると、一定距離内の舞台位置を再度探索する点において第１１の実施の形態と異なる。
【０２９０】
図６１は、本技術の第１１の実施の形態の変形例における表示装置１０によりシナリオ表示および舞台表示が行われる際の処理手順例を示すフローチャートである。この処理手順は、ステップＳ９１０の代わりにステップＳ９１１、Ｓ９１２およびＳ９１３を実行する点と、コンテンツの再生中に舞台位置の探索を行う点とにおいて、第１０の実施の形態と異なる。
【０２９１】
表示装置１０は、シナリオデータの表示の開始後（ステップＳ９０３）、表示装置１０の現在位置を基準位置として取得する（ステップＳ９１１）。表示装置１０は、基準位置と表示中の舞台位置との間の直線距離Ｄｂを算出する（ステップＳ９１２）。そして、表示装置１０は、直線距離Ｄｂが探索距離Ｄｂ２より短いか否かを判断する（ステップＳ９１３）。直線距離Ｄｂが探索距離Ｄｂ２より短くない場合には（ステップＳ９１３：Ｎｏ）、表示装置１０は、一定距離内舞台位置探索距離を実行する（ステップＳ９９０）。直線距離Ｄｂが探索距離Ｄｂ２より短い場合（ステップＳ９１３：Ｙｅｓ）、または、ステップＳ９９０の後、表示装置１０は、ステップＳ９０４乃至Ｓ９０８を実行する。ステップＳ９０８の後、表示装置１０は、ステップＳ９１１に戻る。
【０２９２】
このように、本技術の第１１の実施の形態の変形例によれば、表示装置１０は、舞台位置探索後に新たに基準位置が取得されると、舞台位置を再度探索するため、基準位置が変更されても、ユーザは訪れやすい舞台位置を容易に求めることができる。これにより、利便性がさらに向上する。
【０２９３】
なお、本技術の実施の形態では、シナリオの進行が自動進行であることを想定したが、これに限定されるものではなく、手動で進行するようにしてもよい。例えば、現在の進行位置を示すアイコンをコンテンツの表示画面において表示させ、そのアイコンを、ユーザ操作により移動させる。これにより、ユーザが現在読んでいる位置（進行位置）を表示装置に認識させることができ、この進行位置に対応した舞台位置を表示することができる。
【０２９４】
なお、本技術の実施の形態では、コンテンツの表示および舞台表示が同時に表示することが好ましいため、表示画面を２画面備えている表示装置を想定して説明した。しかしながら、これに限定されるものではなく、例えば、１画面の表示装置において、画面を２分割して表示する場合が考えられる。また、１画面の表示装置において、タブなどでユーザが表示を切り替えるようにして表示する場合も考えられる。この表示を切り替える場合には、表示装置が自動的にコンテンツの表示および舞台表示を適時切り替え留用にすることも考えられる。
【０２９５】
なお、本技術の実施の形態では、１つのシナリオデータに対して１つの位置情報リンクデータが用意される例を想定したが、これに限定されるものではない。例えば、シナリオデータのコンテンツの制作者側が作成した位置情報リンクデータ、ファンが作成した位置情報リンクデータなどのように、複数の位置情報リンクデータが存在する状態も考えられる。このような場合に、ユーザが表示したい位置情報リンクデータを表示させることが出来るように、使用する位置情報リンクデータを選択可能にすることも考えられる。
【０２９６】
なお、上述の実施の形態は本技術を具現化するための一例を示したものであり、実施の形態における事項と、特許請求の範囲における発明特定事項とはそれぞれ対応関係を有する。同様に、特許請求の範囲における発明特定事項と、これと同一名称を付した本技術の実施の形態における事項とはそれぞれ対応関係を有する。ただし、本技術は実施の形態に限定されるものではなく、その要旨を逸脱しない範囲において実施の形態に種々の変形を施すことにより具現化することができる。
【０２９７】
また、上述の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ハードディスク、ＣＤ（Compact Disc）、ＭＤ（MiniDisc）、ＤＶＤ（Digital Versatile Disk）、メモリカード、ブルーレイディスク（Blu-ray Disc（登録商標））等を用いることができる。
【０２９８】
なお、本技術は以下のような構成もとることができる。
（１）  コンテンツにおける再生位置と当該再生位置における前記コンテンツの内容に関連する地理に関する地理情報とが関連付けられたリンク情報を取得するリンク情報取得部と、
再生中の前記コンテンツの内容に関連する前記地理情報に応じた地理画像を、前記取得したリンク情報と当該コンテンツの再生中の再生位置とに基づいて表示させる制御を行う表示制御部と
を具備する情報処理装置。
（２）  前記地理情報は、経度および緯度を含み、
前記表示制御部は、前記再生中の再生位置と関連付けられた前記地理情報により特定される地図上の位置を示す標識である再生位置標識が付された地図を前記地理画像として表示させる制御を行う前記（１）に記載の情報処理装置。
（３）  前記リンク情報は、前記地理情報に関連付けられた日時をさらに含み、
前記表示制御部は、いずれかの前記再生位置標識が選択されると当該選択された再生位置標識に対応する前記地理情報に関連付けられた前記日時を表示させる制御を行う前記（２）記載の情報処理装置。
（４）  前記表示制御部は、前記情報処理装置が存在する地図上の位置を示す標識である装置位置標識がさらに付された前記地図を表示させる制御を行う前記（２）または（３）に記載の情報処理装置。
（５）  前記表示制御部は、前記コンテンツの内容に関連するものであって、地図上の地物に関する関連位置情報がさらに付された前記地図を表示させる制御を行う前記（２）から（４）のいずれかに記載の情報処理装置。
（６）  前記関連位置情報は、ＰＯＩ(Point Of Interest)情報であり、
前記表示制御部は、前記ＰＯＩ情報の表示が許可されている場合に、前記関連位置情報がさらに付された前記地図を表示させる制御を行う前記（５）に記載の情報処理装置。
（７）  前記表示制御部は、前記関連位置情報の存在する地図上の位置を示す標識である関連情報標識がさらに付された前記地図を表示させ、設定された設定距離よりも前記再生位置標識と前記関連情報標識との間の距離が短い場合には、前記関連情報標識の位置の関連位置情報を表示させる制御を行う前記（５）または（６）に記載の情報処理装置。
（８）  前記コンテンツが再生されたか否かを示す再生履歴情報を取得する再生履歴情報取得部と、
前記コンテンツが再生されていないことを前記再生履歴情報が示す場合には所定値を前記設定距離に設定し、前記コンテンツが再生されたことを前記再生履歴情報が示す場合には前記所定値より大きな値を前記設定距離に設定する設定部と
をさらに具備する前記（１）から（７）のいずれかに記載の情報処理装置。
（９）  前記表示制御部は、前記コンテンツに基づくコンテンツ画像上に前記再生中の再生位置を特定するための標識を付して表示させる前記（１）から（８）のいずれかに記載の情報処理装置。
（１０）  前記表示制御部は、前記リンク情報において前記地理情報が関連付けられている再生位置を特定するための標識を前記コンテンツに基づくコンテンツ画像上に付して表示させる前記（１）から（９）のいずれかに記載の情報処理装置。
（１１）  前記コンテンツは、テキストコンテンツと、画像コンテンツと、オーディオコンテンツとのうちの１つまたは複数により構成されるデータである前記（１）から（１０）のいずれかに記載の情報処理装置。
（１２）  前記地理情報は、経度および緯度と、当該経度および緯度により特定される位置の地物に関連する情報とを含む前記（１）から（１１）のいずれかに記載の情報処理装置。
（１３）  前記表示制御部は、前記再生中の再生位置と関連付けられた前記地理情報により特定される架空の地図上の位置を示す前記再生位置標識と架空の地図であることを示す標識とが付された前記架空の地図を前記地理画像として表示させる制御を行う前記（１）から（１２）のいずれかに記載の情報処理装置。
（１４）  前記リンク情報は、前記地理情報を２つ含み、
前記表示制御部は、前記２つの地理情報の一方を含む前記地理画像を表示させ、前記２つの地理情報の両方を含む前記地理画像を表示させた後において前記２つの地理画像の他方を含む前記地理画像を表示させる制御を行う前記（１）から（１３）のいずれかに記載の情報処理装置。
（１５）  前記リンク情報は、前記地理情報を２つ含み、
前記表示制御部は、前記２つの地理情報の一方を含む前記地理画像と前記２つの地理情報の他方を含む前記地理画像とを同時に表示させる制御を行う前記（１）から（１４）のいずれかに記載の情報処理装置。
（１６）  前記リンク情報は、前記地理情報を２つ含み、
前記表示制御部は、前記２つの地理情報の一方を含む前記地理画像と前記２つの地理情報の他方を含む前記地理画像とのいずれかをユーザの操作に従って選択して表示させる制御を行う前記（１）から（１５）のいずれかに記載の情報処理装置。
（１７）  前記地理画像は、地図画像および写真画像が合成された画像である
前記（１）から（１６）のいずれかに記載の情報処理装置。
（１８）  前記コンテンツが再生されたか否かを示す再生履歴情報を取得する再生履歴情報取得部をさらに具備し、
前記表示制御部は、前記コンテンツが再生されたことを前記再生履歴情報が示す場合には前記コンテンツが再生されていないことを前記再生履歴情報が示す場合とは異なる前記地理画像を表示させる制御を行う前記（１）から（１７）のいずれかに記載の情報処理装置。
（１９）  前記リンク情報は、前記地理情報に関連付けられた日時をさらに含み、
前記表示制御部は、特定の基準日時と前記地理情報に関連付けられた日時との間の期間の長さに基づいて前記地理情報を選択して表示させる制御を行う前記（１）から（１８）のいずれかに記載の情報処理装置。
（２０）  特定の基準位置から前記地理情報の各々の示す位置までの移動に要するコストである個別コストを前記地理情報ごとに取得するコスト取得部をさらに具備し、
前記表示制御部は、前記個別コストに基づいて前記地理情報を選択して表示させる制御を行う前記（１）から（１９）のいずれかに記載の情報処理装置。
（２１）  前記表示制御部は、前記個別コストが最小の前記地理情報を選択して表示させる制御を行う前記（２０）記載の情報処理装置。
（２２）  前記リンク情報は、前記コンテンツに対応する前記地理情報の各々を囲む所定形状の領域の頂点の位置を代表位置として前記コンテンツごとにさらに含み、
前記コスト取得部は、前記基準位置から前記代表位置までの移動に要するコストである代表コストを前記コンテンツごとに取得して当該代表コストに基づいて選択した前記コンテンツに対応する前記地理情報の各々の前記個別コストを取得する前記（２０）または（２１）に記載の情報処理装置。
（２３）  前記コスト取得部は、前記地理情報ごとに予め設定された重み係数により重み付けした前記個別コストを取得する
前記（２０）から（２２）のいずれかに記載の情報処理装置。
（２４）  前記リンク情報は、前記地理情報に関連付けられた日時をさらに含み、
前記コスト取得部は、特定の基準日時と前記地理情報に関連付けられた前記日時との間の期間の長さに応じた値の重み係数により重み付けした前記個別コストを取得する前記（２０）から（２３）のいずれかに記載の情報処理装置。
（２５）  前記表示制御部は、前記個別コストが一定値より小さい前記地理情報の各々を選択して表示させる処理である選択処理を実行する制御を行う前記（２０）記載の情報処理装置。
（２６）  前記基準位置を複数回取得する位置取得部をさらに具備し、
前記表示制御部は、所定の位置の前記基準位置に基づいて前記選択処理を実行した後において前記所定の位置と異なる新たな基準位置が取得された場合には前記新たな基準位置に基づいて前記選択処理を再度実行する戦記（２５）記載の情報処理装置。
（２７）  コンテンツにおける再生位置と当該再生位置における前記コンテンツの内容に関連する地理に関する地理情報とが関連付けられたリンク情報を取得するリンク情報取得手順と、
再生中の前記コンテンツの内容に関連する前記地理情報に応じた地理画像を、前記取得したリンク情報と当該コンテンツの再生中の再生位置とに基づいて表示させる制御を行う表示制御手順と
を具備する情報処理方法。
（２８）  コンテンツにおける再生位置と当該再生位置における前記コンテンツの内容に関連する地理に関する地理情報とが関連付けられたリンク情報を取得するリンク情報取得手順と、
再生中の前記コンテンツの内容に関連する前記地理情報に応じた地理画像を、前記取得したリンク情報と当該コンテンツの再生中の再生位置とに基づいて表示させる制御を行う表示制御手順と
をコンピュータに実行させるプログラム。
【符号の説明】
【０２９９】
１０、２０  表示装置
１１０  操作部
１２０  記憶部
１２１  シナリオデータ
１２２  位置情報リンクデータ
１２３  地図データ
１２４  ＰＯＩデータ
１２５  階層化地図データ
１２６  航空写真データ
１２７  未読地図データ
１２８  既読地図データ
１３０  表示部
１４０  音声出力部
１５０  制御部
１５１  表示制御部
１５２  リンク情報取得部
１５３  再生履歴情報取得部
１５４  距離設定部
１５５  コスト取得部
１６０  位置情報取得部
２１０  再生履歴情報
２２０  ルート検索プログラム
【図１】
2014164630.tif 000003
【図２】
2014164630.tif 000004
【図４】
2014164630.tif 000005
【図６】
2014164630.tif 000006
【図７】
2014164630.tif 000007
【図８】
2014164630.tif 000008
【図９】
2014164630.tif 000009
【図１２】
2014164630.tif 000010
【図１３】
2014164630.tif 000011
【図１４】
2014164630.tif 000012
【図１５】
2014164630.tif 000013
【図１６】
2014164630.tif 000014
【図１７】
2014164630.tif 000015
【図１８】
2014164630.tif 000016
【図１９】
2014164630.tif 000017
【図２１】
2014164630.tif 000018
【図２２】
2014164630.tif 000019
【図２３】
2014164630.tif 000020
【図２４】
2014164630.tif 000021
【図２５】
2014164630.tif 000022
【図２６】
2014164630.tif 000023
【図２７】
2014164630.tif 000024
【図２８】
2014164630.tif 000025
【図３０】
2014164630.tif 000026
【図３１】
2014164630.tif 000027
【図３２】
2014164630.tif 000028
【図３３】
2014164630.tif 000029
【図３４】
2014164630.tif 000030
【図３５】
2014164630.tif 000031
【図３６】
2014164630.tif 000032
【図３７】
2014164630.tif 000033
【図３８】
2014164630.tif 000034
【図３９】
2014164630.tif 000035
【図４０】
2014164630.tif 000036
【図４１】
2014164630.tif 000037
【図４２】
2014164630.tif 000038
【図４３】
2014164630.tif 000039
【図４４】
2014164630.tif 000040
【図４５】
2014164630.tif 000041
【図４６】
2014164630.tif 000042
【図４７】
2014164630.tif 000043
【図４８】
2014164630.tif 000044
【図４９】
2014164630.tif 000045
【図５０】
2014164630.tif 000046
【図５１】
2014164630.tif 000047
【図５２】
2014164630.tif 000048
【図５３】
2014164630.tif 000049
【図５４】
2014164630.tif 000050
【図５５】
2014164630.tif 000051
【図５６】
2014164630.tif 000052
【図５７】
2014164630.tif 000053
【図５８】
2014164630.tif 000054
【図５９】
2014164630.tif 000055
【図６０】
2014164630.tif 000056
【図６１】
2014164630.tif 000057
【図３】
2014164630.tif 000058
【図５】
2014164630.tif 000059
【図１０】
2014164630.tif 000060
【図１１】
2014164630.tif 000061
【図２０】
2014164630.tif 000062
【図２９】
2014164630.tif 000063